(57)【要約】【課題】無線デバイスの放射性能を決定するためのシステム、方法及び装置【解決手段】システム、方法、装置、プロセッサ及びコンピュータ読取可能媒体は、予め決められた放射性能試験を無線デバイスに関して行う放射試験モジュールを含む。前記試験は、複数の予め決められた位置の各々において測定及びロギングすべき様々な性能関連パラメータを指示する。さらに、前記無線デバイスは、ロギングされた測定値と前記位置の各々との間における同期化を可能にするために動作可能な同期化情報を受信する。前記同期化ログは、前記無線デバイス、又は他の装置が予め決められた解析プロトコルに基づいて放射性能特性を決定することを可能にする。さらに、前記説明される実施形態は、単一の試験において単一の改修されない無線デバイスを用いて幾つかの放射性能特性を決定することを考慮する。【選択図】        図１
2008518567.tif 000002
【特許請求の範囲】
【請求項１】
無線デバイスの放射性能特性を決定する方法であって、
予め決められた放射性能試験と関連づけられた複数の位置の各々において前記無線デバイスによって受信された信号の測定された信号特性を決定することと、
前記測定された信号特性を前記無線デバイスの試験ログに記録することと、
前記無線デバイスの前記試験ログにおいて、前記複数の位置の各々に関する各々の位置に対応しさらに前記測定された信号特性の各々に対応する同期化データを記録すること、とを具備し、前記測定された信号特性及び前記同期化データは、前記無線デバイスの前記放射性能特性を決定する、方法。
【請求項２】
前記複数の位置と関連づけられた予め決められた位置に対応する前記放射性能特性を前記測定された信号特性及び前記同期化データに基づいて生成することをさらに具備する請求項１に記載の方法。
【請求項３】
前記同期化データを前記無線デバイスにおいて無線受信することをさらに具備する請求項１に記載の方法。
【請求項４】
前記測定された信号特性を決定する前記動作は、前記無線デバイスに配置された受信機モジュールを用いて前記受信信号を測定することをさらに具備する請求項１に記載の方法。
【請求項５】
予め決められた解析プロトコルを前記測定された信号特性及び前記同期化データに適用して前記放射性能特性を生成することをさらに具備する請求項１に記載の方法。
【請求項６】
前記測定された信号特性は、利得値を具備し、予め決められた解析プロトコルを適用する前記動作は、前記利得値のうちの最大値及び対応する最大利得位置を決定することと、前記最大利得位置における最高放射感度を決定することと、前記最高放射感度に基づいて前記無線デバイスの総放射感度を決定すること、とをさらに具備する請求項５に記載の方法。
【請求項７】
前記測定された信号特性は、放射電力値を具備し、予め決められた解析プロトコルを適用する前記動作は、前記複数の位置の各々に関する最大放射電力値を決定することと、前記最大放射電力値に基づいて前記無線デバイスに関する総放射電力評価基準を決定すること、とをさらに具備する請求項５に記載の方法。
【請求項８】
前記測定された信号特性は、前記無線デバイスの第１のアンテナモジュール及び第２のアンテナモジュールの各々に関する複素電圧値を具備し、予め決められた解析プロトコルを適用する前記動作は、前記複数の位置の少なくとも一部分において前記複素電圧値に基づいて包絡線相関係数ρeを決定することをさらに具備する請求項５に記載の方法。
【請求項９】
前記複数の位置の一部分における第２の放射性能特性を決定する第２の放射性能試験を同時に実施することをさらに具備する請求項１に記載の方法。
【請求項１０】
前記放射性能特性を決定するために前記記録された測定された信号特性及び前記対応する記録された各々の位置を他のデバイスに送信することをさらに具備する請求項１に記載の方法。
【請求項１１】
コンピュータによって読み取り可能な媒体内に常駐し、実行されたときに、予め決められた放射性能試験と関連づけられた複数の位置の各々において無線デバイスの受信機モジュールによって受信された信号の測定された信号特性を決定する動作、前記測定された信号特性を前記無線デバイスの試験ログに記録する動作、前記無線デバイスの前記試験ログにおいて、前記複数の位置の各々に関する各々の位置に対応しさらに前記測定された信号特性の各々に対応する同期化データを記録する動作を行うようにコンピュータデバイスに指示するコンピュータプログラムであって、前記測定された信号特性及び前記同期化データは、前記無線デバイスの放射性能特性を決定する、コンピュータプログラム。
【請求項１２】
予め決められた放射性能試験と関連づけられた複数の位置の各々において無線デバイスの受信機モジュールによって受信された信号の測定された信号特性を決定する動作と、  
前記測定された信号特性を前記無線デバイスの試験ログに記録する動作と、
前記無線デバイスの前記試験ログにおいて、前記複数の位置の各々に関する各々の位置に対応しさらに前記測定された信号特性の各々に対応する同期化データを記録する動作と、を行うように構成される少なくとも１つのプロセッサであって、前記測定された信号特性及び前記同期化データは、前記無線デバイスの放射性能特性を決定する、少なくとも１つのプロセッサ。
【請求項１３】
予め決められた放射性能試験と関連づけられた複数の位置の各々において受信された信号に関する測定された信号特性を決定するための手段と、
前記測定された信号特性を記録するための手段と、
前記複数の位置の各々に関する各々の位置に対応しさらに前記測定された信号特性の各々に対応する同期化データを記録するための手段と、を具備し、前記測定された信号特性及び前記同期化データは、前記無線デバイスの放射性能特性を決定する、無線デバイス。
【請求項１４】
無線デバイスであって、
予め決められた放射性能試験と関連づけられた複数の位置の各々において信号を受信するために動作可能な受信機モジュールと、
前記複数の位置の各々に対応する前記測定された信号特性及び前記同期化データを具備するデバイス試験ログを有するデータレポジトリと、を具備し、前記信号は、前記受信機モジュールによって決定された測定された信号特性を有し、前記信号は、前記複数の位置の各々に関する各々の位置に対応しさらに前記測定された信号の各々に対応する同期化データをさらに有し、前記測定された信号特性及び前記同期化データは、前記無線デバイスの放射性能特性を決定する、無線デバイス。
【請求項１５】
前記複数の位置と関連する予め決められた位置に対応する前記放射性能特性を前記測定された信号特性及び前記同期化データに基づいて生成するために動作可能な性能アナライザモジュールをさらに具備する請求項１４に記載の無線デバイス。
【請求項１６】
前記受信機モジュールは、前記同期化データを無線受信するために動作可能である請求項１４に記載の無線デバイス。
【請求項１７】
前記受信機モジュールは、前記信号を処理して前記測定された信号特性を決定するために動作可能である請求項１４に記載の無線デバイス。
【請求項１８】
予め決められた解析プロトコルを有する性能アナライザモジュールをさらに具備し、前記性能アナライザモジュールは、前記放射性能特性を生成するために前記複数の位置の各々に関する前記測定された信号特性及び前記同期化データに前記予め決められた解析プロトコルを適用するために動作可能である請求項１４に記載の無線デバイス。
【請求項１９】
前記測定された信号特性は、利得値を具備し、前記予め決められた解析プロトコルは、前記無線デバイスの総放射感度を最高放射感度に基づいて決定するために動作可能であり、前記最高放射感度は、最大利得値を有する前記複数の位置の１つにおいて決定される請求項１８に記載の無線デバイス。
【請求項２０】
前記測定された信号特性は、放射電力値を具備し、前記予め決められた解析プロトコルは、前記無線デバイスに関する総放射電力評価基準を前記複数の位置の各々に関する最大放射電力値に基づいて決定するために動作可能である請求項１８に記載の無線デバイス。
【請求項２１】
前記受信機モジュールは、第１の受信チェーンを定義する第１の受信機モジュールと関連する第１のアンテナモジュールと、第２の受信チェーンを定義する第２の受信機モジュールと関連する第２のアンテナモジュールと、を具備し、前記測定された信号特性は、前記第１のアンテナモジュール及び前記第２のアンテナモジュールの各々に関する複素電圧値を具備し、前記予め決められた解析プロトコルは、前記第１の受信チェーンと前記第２の受信チェーンとの間の包絡線相関係数ρeを前記複素電圧値に基づいて決定するために動作可能である請求項１８に記載の無線デバイス。
【請求項２２】
前記複数の位置の一部分における第２の放射性能特性を決定する第２の放射性能試験を同時に実施するために動作可能な放射性能試験モジュールをさらに具備する請求項１４に記載の無線デバイス。
【請求項２３】
前記放射性能特性を決定するために前記記録された測定された信号特性及び前記対応する記録された各々の位置を他のデバイスに送信するために動作可能な放射性能試験モジュールをさらに具備する請求項１４に記載の無線デバイス。
【請求項２４】
無線デバイスの放射特性を決定する方法であって、
予め決められた放射性能試験と関連づけられた複数の位置の各々において基準信号特性を有する信号を前記無線デバイスに送信することと、
同期化データを前記無線デバイスに送信することであって、前記同期化データは、前記複数の位置の各々に関する各々の位置に対応しさらに前記送信された信号特性の各々に対応すること、とを具備し、前記基準信号及び前記同期化データは、前記無線デバイスの放射性能特性を決定するために用いられる、方法。
【請求項２５】
前記基準信号特性を記録することと、
前記同期化データを記録することと、
前記複数の位置の各々に関して前記無線デバイスによって測定された測定信号特性及び同期化データのレコードを受信することと、
前記複数の位置の各々に関して、前記同期化データに基づいて前記基準信号特性を前記測定された信号特性と同期化させることと、
前記無線デバイスの前記放射性能特性を前記同期化された基準信号特性及び前記測定された信号特性に基づいて決定すること、とをさらに具備する請求項２４に記載の方法。
【請求項２６】
前記複数の位置と関連する予め決められた位置に対応する前記放射性能特性を前記測定された信号特性及び前記同期化データに基づいて生成することをさらに具備する請求項２５に記載の方法。
【請求項２７】
前記同期化データを前記無線デバイスに無線送信することをさらに具備する請求項２４に記載の方法。
【請求項２８】
前記放射性能特性を生成するために前記同期化された基準信号特性及び前記測定された信号特性に予め決められた解析プロトコルを適用することをさらに具備する請求項２５に記載の方法。
【請求項２９】
前記測定された信号特性は、各々が利得値と関連づけられ、予め決められた解析プロトコルを適用する前記動作は、前記複数の位置の各々に関する前記利得値の最大値及び対応する最大利得位置を決定することと、前記最大利得位置における最高放射感度を決定することと、前記最高放射感度に基づいて前記無線デバイスに関する総放射感度を決定すること、とをさらに具備する請求項２８に記載の方法。
【請求項３０】
前記測定された信号特性は、放射電力値を具備し、予め決められた解析プロトコルを適用する前記動作は、前記複数の位置の各々に関する最大放射電力値を決定することと、前記最大放射電力値に基づいて前記無線デバイスに関する総放射電力評価基準を決定すること、とをさらに具備する請求項２８に記載の方法。
【請求項３１】
前記測定された信号特性は、前記無線デバイスの前記アンテナシステムの第１のアンテナモジュール及び第２のアンテナモジュールに関する複素電圧値を具備し、予め決められた解析プロトコルを適用する前記動作は、包絡線相関係数ρeを前記複素電圧値に基づいて決定することをさらに具備する請求項２８に記載の方法。
【請求項３２】
前記複数の位置の一部分における第２の放射性能特性を決定する第２の放射性能試験を同時に実施することをさらに具備する請求項２４に記載の方法。
【請求項３３】
コンピュータによって読み取り可能な媒体内に常駐し、実行されたときに、予め決められた放射性能試験と関連づけられた複数の位置の各々において基準信号特性を有する信号を無線デバイスに送信する動作、及び前記無線デバイスに同期化データを送信する動作を行うようにコンピュータデバイスに指示するコンピュータプログラムであって、前記同期化データは、前記複数の位置の各々に関する各々の位置に対応しさらに前記基準信号特性の各々に対応し、前記基準信号特性及び前記同期化データは、前記無線デバイスの放射性能特性を決定するために用いられる、コンピュータプログラム。
【請求項３４】
予め決められた放射性能試験と関連づけられた複数の位置の各々において基準信号特性を有する信号を無線デバイスに送信する動作と、
前記無線デバイスに同期化データを送信する動作と、を行うように構成される少なくとも１つのプロセッサであって、前記同期化データは、前記複数の位置の各々に関する各々の位置に対応しさらに前記送信された信号特性の各々に対応し、前記基準信号特性及び前記同期化データは、前記無線デバイスの放射性能特性を決定するために用いられる、少なくとも１つのプロセッサ。
【請求項３５】
無線デバイスの放射性能を決定するための装置であって、
予め決められた放射性能試験と関連づけられた複数の位置の各々において基準信号特性を有する信号を前記無線デバイスに送信するための手段と、
前記無線デバイスに同期化データを送信するための手段であって、前記同期化データは、前記複数の位置の各々に関する各々の位置に対応しさらに前記送信された信号特性の各々に対応する手段と、を具備し、前記基準信号特性及び前記同期化データは、前記無線デバイスの放射性能特性を決定するために用いられる、装置。
【請求項３６】
無線デバイスの放射性能を決定するためのコントローラであって、
予め決められた放射性能試験と関連づけられた複数の位置の各々において前記無線デバイスに信号を送信するために動作可能な無線信号システムを具備し、前記信号は、基準信号特性及び同期化データを具備し、前記同期化データは、前記複数の位置の各々に関する各々の位置に対応しさらに前記基準信号特性の各々に対応し、前記基準信号特性及び前記同期化データは、前記無線デバイスの放射性能特性を決定するために用いられる、コントローラ。
【請求項３７】
前記複数の位置の各々に対応する前記基準信号特性及び前記同期化データを記録するために動作可能な放射試験管理モジュールと、
制御試験ログ及びデバイス試験ログを有する記憶機構であって、前記制御試験ログは、前記記録された基準信号特性及び前記記録された同期化データを具備し、前記デバイス試験ログは、前記複数の位置の各々に関して前記無線デバイスの受信機モジュールによって受信された測定された信号特性及び同期化データのレコードを具備する記憶機構と、
前記複数の位置の各々に関して、前記同期化データに基づいて前記基準信号特性を前記測定された信号特性と同期化させるために動作可能な性能アナライザと、をさらに具備し、前記性能アナライザは、前記無線デバイスの前記放射性能特性を前記同期化された基準信号特性及び測定された信号特性に基づいて決定するためにさらに動作可能である請求項３６に記載のコントローラ。
【請求項３８】
前記性能アナライザは、前記複数の位置と関連づけられた予め決められた位置に対応する前記放射性能特性を前記測定された信号特性及び前記同期化データに基づいて生成するためにさらに動作可能である請求項３７に記載のコントローラ。
【請求項３９】
前記放射試験管理モジュールは、前記同期化データを前記無線デバイスに無線送信するためにさらに動作可能である請求項３６に記載のコントローラ。
【請求項４０】
前記放射試験管理モジュールは、予め決められた解析プロトコルをさらに具備し、前記放射試験管理モジュールは、前記放射性能特性を生成するために前記基準信号特性と前記測定された信号特性の同期化された組合せに前記予め決められた解析プロトコルを適用するためにさらに動作可能である請求項３７に記載のコントローラ。
【請求項４１】
前記測定された信号特性は、利得値を具備し、前記予め決められた解析プロトコルは、前記無線デバイスに関する総放射感度を最高放射感度に基づいて決定するために動作可能であり、前記最高放射感度は、最大利得位置において決定され、前記最大利得位置は、前記利得値の最大値に対応する請求項４０に記載のコントローラ。
【請求項４２】
前記測定された信号特性は、放射電力値を具備し、前記予め決められた解析プロトコルは、前記無線デバイスに関する総放射電力評価基準を前記複数の位置の各々に関する最大放射電力値に基づいて決定するために動作可能である請求項４０に記載のコントローラ。
【請求項４３】
前記無線デバイスは、第１のアンテナモジュールと、第２のアンテナモジュールと、を具備し、前記測定された信号特性は、前記第１のアンテナモジュール及び前記第２のアンテナモジュールの各々に関する複素電圧値を具備し、前記予め決められた解析プロトコルは、前記第１のアンテナモジュールと前記第２のアンテナモジュールとの間の包絡線相関係数ρeを前記複素電圧値に基づいて決定するために動作可能である請求項４０に記載のコントローラ。
【請求項４４】
前記放射試験管理モジュールは、前記複数の位置の一部分における第２の放射性能特性を決定する第２の放射性能試験を同時に実施するためにさらに動作可能である請求項３６に記載のコントローラ。
【請求項４５】
無線デバイスの放射性能を決定するためのシステムであって、
予め決められた放射性能試験に基づいて制御信号を生成するために動作可能なコントローラシステムと、
信号発生器を具備する無線信号システムと、を具備し、前記制御信号は、ポジショニング成分と、対応するシグナリング成分と、を具備し、前記ポジショニング成分は、複数の予め決められた位置のうちの選択された１つを定義し、前記シグナリング成分は、基準信号特性及び予め決められた同期化データを有する無線信号を定義し、前記予め決められた同期化データは、前記複数の予め決められた位置のうちの選択された１つに対応し、前記無線信号システムは、前記制御信号の少なくとも一部分を受信するために及び前記シグナリング成分に基づいて前記無線信号を発生させるために動作可能である、システム。
【請求項４６】
前記動作制御システムの取り付け部分に接続可能な無線デバイスであって、前記無線信号を受信するために動作可能な受信機機構と、前記受信機機構と通信するプロセッサシステムと、前記プロセッサシステムと通信する放射性能試験モジュールと、を具備し、前記プロセッサシステムは、測定された信号特性を前記受信された無線信号に基づいて生成するために動作可能であり、前記測定された信号特性は、前記複数の予め決められた位置のうちの選択された１つにおいて前記受信機機構によって受信された前記基準信号特性に対応し、前記プロセッサシステムは、前記受信された無線デバイス信号からの前記複数の予め決められた位置のうちの選択された１つに対応する前記予め決められた同期化データを構文解析するためにさらに動作可能であり、前記放射性能試験モジュールは、前記測定された信号特性及び前記対応する予め決められた同期化データを収集及び格納するために動作可能なデータ管理論理を有し、前記測定された信号特性及び前記対応する予め決められた同期化データは、両方とも、前記予め決められた放射性能試験に基づいて前記無線デバイスの放射性能特性を少なくとも部分的に決定可能である無線デバイスをさらに具備する請求項４５に記載のシステム。
【請求項４７】
前記放射性能試験モジュールは、前記放射性能特性を前記測定された信号特性及び前記対応する予め決められた同期化データに基づいて生成するために動作可能な性能アナライザをさらに具備する請求項４６に記載のシステム。
【請求項４８】
前記予め決められた同期化データは、前記複数の位置の前記選択された１つを定義する位置情報を具備する請求項４５に記載のシステム。
【請求項４９】
前記予め決められた同期化データは、前記複数の予め決められた位置のうちの前記選択された１つに対応する時間情報を具備し、前記コントローラシステムは、試験ログ及び性能アナライザをさらに具備し、前記試験ログは、前記複数の予め決められた位置のうちの前記選択された１つに対応する前記時間情報のレコードを具備し、前記試験ログは、前記測定された信号特性に対応する前記時間情報のレコードを前記予め決められた放射性能試験の対象である無線デバイスから受信するためにさらに動作可能であり、前記性能アナライザは、前記複数の予め決められた位置のうちの前記選択された１つを前記測定された信号特性と同期化させるために及び放射性能特性を生成するために動作可能である請求項４５に記載のシステム。
【請求項５０】
移動可能な取り付け部分を有するポジショニングアセンブリを具備するポジショニングシステムをさらに具備し、前記ポジショニングシステムは、前記制御信号の少なくとも一部分を受信するために及び前記取り付け部分を前記ポジショニング成分に基づいて前記複数の予め決められた位置のうちの前記選択された１つに移動させるために動作可能である請求項４５に記載のシステム。
【請求項５１】
前記無線デバイスは、デバイス発の無線信号を受信するのと同時に前記無線信号を生成して送信するために動作可能な送信機機構をさらに具備し、前記デバイス発の無線信号は、第２の予め決められた放射性能試験に基づき、前記無線信号システムは、前記デバイス発の無線信号を受信するために及びコントローラに基づく信号特性を決定するために動作可能な信号受信機をさらに具備し、前記コントローラシステムは、前記コントローラに基づく信号特性を受信するために及び前記無線デバイスの第２の放射性能特性を生成するために動作可能である請求項４６に記載のシステム。  
【請求項５２】
前記無線デバイスは、前記測定された信号特性及び前記対応する予め決められた同期化データを具備するログを格納するために動作可能であるデータレポジトリをさらに具備する請求項４６に記載のシステム。
【請求項５３】
無線デバイスであって、
基準信号特性及び予め決められた同期化データを有する信号を受信するために動作可能な受信機機構であって、前記基準信号特性は、予め決められた放射性能試験と関連づけられ、前記予め決められた同期化データは、前記予め決められた放射性能試験と関連づけられた前記無線デバイスの複数の位置のうちの選択された１つに対応する受信機機構と、
前記受信機機構と通信しさらに測定された信号特性を前記受信信号に基づいて決定するために動作可能な処理システムであって、前記測定された信号特性は、前記基準信号特性に対応し、前記受信信号からの前記予め決められた同期化データを構文解析するためにさら動作可能である処理システムと、
前記測定された信号特性及び前記対応する予め決められた同期化データを具備する試験ログを格納するために動作可能なデータレポジトリと、
前記測定された信号特性及び前記対応する予め決められた同期化データを前記処理システムから収集するために及び前記データレポジトリに格納させるために動作可能な放射性能試験モジュールであって、前記測定された信号特性及び前記対応する予め決められた同期化データは、両方とも、前記予め決められた放射性能試験に基づいて前記無線デバイスの予め決められた放射性能特性を少なくとも部分的に決定可能である放射性能試験モジュールと、を具備する無線デバイス。
【請求項５４】
無線デバイスの放射性能を決定する方法であって、
予め決められた放射性能試験と関連づけられた複数の予め決められた位置のうちの選択された１つにおいて無線デバイスを位置決めすることと、
前記無線デバイスに信号を送信することであって、前記信号は、基準信号特性及び前記選択された位置に対応する予め決められた同期化データを有することと、
前記無線デバイスからレコードを受信することであって、前記レコードは、前記無線デバイスの受信機モジュールによって測定されて前記基準信号特性に対応し、さらに前記予め決められた同期化データと相互に関連する測定された信号特性を含むことと、
前記測定された信号特性を、前記予め決められた同期化データに基づいて前記選択された位置に対応する位置情報と同期化させることと、
前記無線デバイスの放射性能特性を前記同期化された測定された信号特性及び位置情報に基づいて生成すること、とを具備する方法。
【発明の詳細な説明】
【技術分野】
【０００１】
３５Ｕ．Ｓ．Ｃ．§１１９に基づく優先権の主張
本特許出願は、本特許出願の譲受人に対して譲渡されていてさらに本明細書において参照されることによって明示で本明細書に組み入れられており、"ANTENNA CORRELATION FROM MEASURED COMPLEX RADIATION PATTERNS"（測定された複素放射パターンからのアンテナ相関）という題名を有する仮特許出願番号 ６０／６２１，８８３(出願日:  ２００４年１０月２５日)、及び同じく本特許出願の譲受人に対して譲渡されていてさらに本明細書において参照されることによって明示で本明細書に組み入れられており、"METHOD AND APPARATUS FOR PERFORMING RADIATED ANTENNA TESTS"（放射アンテナ試験を実施するための方法および装置）という題名を有する仮特許出願番号 ６０／６６０，９１８(出願日:  ２００５年３月１１日) に対する優先権を主張するものである。
【０００２】
説明される実施形態は、無線通信デバイスに関するものである。説明される実施形態は、より具体的には、無線デバイスと関連するアンテナシステムの放射性能を決定するためのシステム、方法、装置、プロセッサ及びコンピュータ読取可能媒体に関するものである。
【背景技術】
【０００３】
無線デバイスは、有線をベースにしたシステムが有する物理的制約なしに長距離通信を提供するために電波を利用する。無線デバイスは、これらの電波を用いて情報を送信及び受信し、これらの電波は、予め決められた周波数帯域で搬送することができる。送信機及び受信機に接続されたアンテナは、関連する回路とともに、無線デバイスがこれらの電波信号を送信及び受信することを可能にする。アンテナ及び様々な送信機関連の及び受信機関連の構成要素を含む無線デバイスの設計は、前記無線デバイスが電波信号を送信及び受信する能力に影響を与え、このため、前記無線デバイスの放射性能を定めて影響を与える。従って、無線デバイスが電波信号を通信する能力を最適化するために該無線デバイスの放射性能を決定及び微調整することが望ましい。
【０００４】
しかしながら、無線デバイスの放射性能を決定する先行技術の方法は、幾つかの欠点を有する。放射性能を決定するための幾つかの試験は、無線デバイスの破壊的改修を含む。例えば、一例においては、アンテナと受信機の間の信号経路が遮断され、外部の無線周波（“ＲＦ”）コネクタに再ルーティングされる。次に、このコネクタとインタフェースされそれによって無線デバイスの受信機の代替となる外部の試験装置によって放射信号電力測定が行われる。外部ＲＦコネクタ及び関連する外部ケーブルの存在は、無線デバイスの真の放射性能を歪める可能性がある。さらに、これらの破壊的改修は、該改修を行うために要求される追加の装置及び追加の労力の両方に起因して試験手順に関する費用を増大させる。さらに、破壊的改修は、改修された無線デバイスをその他の試験に使用できないようにすることによって費用をさらに増大させる。
【０００５】
さらに、無線通信システムにおいては、送信機からのＲＦ変調信号は、幾つかの伝搬経路を介して受信機に到達することができる。前記伝搬経路の特性は、典型的には、フェージング及びマルチパス等のいくつかの要因に起因して経時で変化する。
【０００６】
さらに、構造物、例えば建物、及び壁や丘陵などの周囲の地形は、送信信号の散乱及び反射の一因となる。送信信号の散乱及び反射は、送信機から受信機までの間において多数の信号経路を生じさせる。これらの多数の信号経路の発生に寄与する因子は、受信機が移動するのに応じて変化する。
【０００７】
その他の信号源も、希望される信号の劣化を生じさせる。これらのその他の信号源は、希望される信号と意図的に同じ周波数で動作中のその他の送信機、及び希望される信号の周波数帯域でスプリアス信号を生成する送信機である。さらに他の信号劣化源は、受信機自体の内部において生成されることがある。受信機内部の信号増幅器及び信号処理段階は、熱雑音のレベルに関する希望される信号のレベルを劣化させることがある。受信機内部の信号増幅器及びプロセッサも、雑音生成物を発生させるかまたは受信信号を歪めてその品質をさらに劣化させる可能性がある。
【０００８】
経路上の悪影響に対するダイバーシティを提供して性能を向上させるために複数の送信アンテナ及び受信アンテナを用いることができる。一般的には少なくともある程度当てはまることであるが、送信アンテナと受信アンテナの間の伝搬経路が直線的に独立している(すなわち、１つの経路における送信がその他の経路における送信の線形の結合として形成されない)場合は、アンテナの本数が増えるのに従ってデータ送信を正確に受信する尤度が上昇する。従って、一般的には、送信アンテナ及び受信アンテナの本数が増えるのに従ってダイバーシティが上昇して性能が向上する。
【０００９】
さらに、無線デバイスは、幾つかの理由で複数のアンテナを用いることができる。例えば、無線デバイスは、複数の帯域及び複数の動作モードにおいて動作する必要がしばしばある。他の理由は、界内におけるこれらのモードの一部の性能を向上させるために複数のアンテナを用いる高度なトランシーバアーキテクチャが実装されているためである。これらのモードは、同時に動作されると、互いに干渉して全体的な性能の劣化を引き起こす可能性がある。このため、自己干渉の影響を捕捉することができる正確な無線デバイス放射性能評価手段を考案することが重要である。現在の方法は、結合されたデバイス／アンテナの設計について評価するための幾つかのステップを要求し、現在の「ケーブル付き」試験における試験精度に関して不明瞭さが存在する。従って、信頼できる設計方法および試験方法はまだ開発されていない。
【発明の開示】
【発明が解決しようとする課題】
【００１０】
従って、無線デバイスの放射性能を決定するための新しい及び改良されたシステム、装置、コンピュータによって読取可能な媒体、プロセッサ及び方法が望まれる。  
【課題を解決するための手段】
【００１１】
説明される実施形態は、単一の試験において単一の変更されていない無線デバイスを用いて、Ｒｘダイバーシティ性能に関連する１つ以上の放射性能特性、例えば、実効等方放射電力（“ＥＩＲＰ”）、受信機感度、総放射電力（“ＴＲＰ”）、総等方感度（“ＴＩＳ”）、包絡線相関、等を決定することを考慮する。
【００１２】
一実施形態においては、例えば、無線デバイスの放射性能特性を決定する方法は、予め決められた放射性能試験と関連づけられた複数の位置の各々において無線デバイスによって受信された信号の測定された信号特性を決定することを具備する。前記方法は、前記測定された信号特性を前記無線デバイスの試験ログに記録することをさらに含む。前記方法は、前記複数の位置の各々に関する各々の位置に対応しさらに前記測定された信号特性の各々に対応する同期化データを、前記無線デバイスの前記試験ログに記録することを含む。前記測定された信号特性及び前記同期化データは、前記無線デバイスの前記放射性能特性を決定する。
【００１３】
他の実施形態においては、実行時に、予め決められた放射性能試験と関連づけられた複数の位置の各々において無線デバイスの受信機モジュールによって受信された信号の測定された信号特性を決定する動作をするようにコンピュータデバイスに指示するコンピュータプログラムが、コンピュータによって読取可能な媒体に常駐する。前記動作は、前記測定された信号特性を前記無線デバイスの試験ログに記録することをさらに含む。さらに、前記動作は、前記複数の位置の各々に関する各々の位置に対応しさらに前記測定された信号特性の各々に対応する同期化データを、前記無線デバイスの前記試験ログに記録することを含む。前記測定された信号特性及び前記同期化データは、前記無線デバイスの放射性能特性を決定する。関連実施形態においては、少なくとも１つのプロセッサが上記の動作をするように構成される。
【００１４】
さらに他の実施形態においては、無線デバイスは、予め決められた放射性能試験と関連づけられた複数の位置の各々において受信された信号に関する測定された信号特性を決定するための手段を具備する。前記デバイスは、前記測定された信号特性を記録するための手段をさらに具備する。さらに、前記デバイスは、前記複数の位置の各々に関する各々の位置に対応しさらに前記測定された信号特性の各々に対応する同期化データを記録するための手段を具備する。前記測定された信号特性及び前記同期化データは、前記無線デバイスの放射性能特性を決定する。
【００１５】
さらに他の実施形態においては、無線デバイスは、予め決められた放射性能試験と関連づけられた複数の位置の各々において信号を受信するために動作可能な受信機モジュールを具備する。前記信号は、前記受信機モジュールによって決定された測定された信号特性を有し、前記信号は、前記複数の位置の各々に関する各々の位置に対応しさらに前記測定された信号特性の各々に対応する同期化データをさらに有する。さらに、前記デバイスは、前記複数の位置の各々に対応する前記測定された信号特性及び前記同期化データを具備するデバイス試験ログを有するデータレポジトリを具備する。前記測定された信号特性及び前記同期化データは、前記無線デバイスの放射性能特性を決定する。
【００１６】
さらなる実施形態においては、無線デバイスの放射特性を決定する方法は、予め決められた放射性能試験と関連づけられた複数の位置の各々において基準信号特性を有する信号を前記無線デバイスに送信することを具備する。前記方法は、同期化データを前記無線デバイスに送信することをさらに含み、前記同期化データは、前記複数の位置の各々に関する各々の位置に対応し、さらに前記送信された信号特性の各々に対応する。さらに、前記基準信号特性及び前記同期化データは、前記無線デバイスの放射性能特性を決定するために用いられる。関連実施形態においては、少なくとも１つのプロセッサが、上記動作を行うように構成される。他の関連実施形態においては、実行時に、上記の動作をするようにコンピュータデバイスに指示するコンピュータプログラムがコンピュータによって読取可能な媒体に常駐する。
【００１７】
他の実施形態においては、無線デバイスの放射性能を決定するための装置は、予め決められた放射性能試験と関連づけられた複数の位置の各々において基準信号特性を有する信号を前記無線デバイスに送信するための手段を具備する。前記装置は、同期化データを前記無線デバイスに送信するための手段をさらに具備し、前記同期化データは、前記複数の位置の各々に関する各々の位置に対応しさらに前記送信された信号特性の各々に対応する。前記基準信号特性及び前記同期化データは、前記無線デバイスの放射性能特性を決定するために用いられる。
【００１８】
さらに他の実施形態においては、無線デバイスの放射性能を決定するためのコントローラは、予め決められた放射性能試験と関連づけられた複数の位置の各々において前記無線デバイスに信号を送信するために動作可能な無線信号システムを具備する。前記信号は、基準信号特性及び同期化データを具備し、前記同期化データは、前記複数の位置の各々に関する各々の位置に対応しさらに前記基準信号特性の各々に対応する。前記基準信号特性及び前記同期化データは、前記無線デバイスの放射性能特性を決定するために用いられる。
【００１９】
さらなる実施形態においては、無線デバイスの放射性能を決定するためのシステムは、予め決定された放射性能試験に基づいて制御信号を発生させるために動作可能なコントローラシステムを具備する。前記制御信号は、ポジショニング成分及び対応するシグナリング成分を具備し、前記ポジショニング成分は、複数の予め決められた位置のうちの選択された１つの位置を定義し、前記シグナリング成分は、基準信号特性及び予め決められた同期化データを有する無線信号を定義する。さらに、前記予め決められた同期化データは、前記複数の予め決められた位置のうちの前記選択された１つの位置に対応する。さらに、前記システムは、信号発生器を具備する無線信号システムを具備し、前記無線信号システムは、前記制御信号の少なくとも一部分を受信するために及び前記シグナリング成分に基づいて前記無線信号を発生させるために動作可能である。
【００２０】
他の実施形態においては、無線デバイスは、基準信号特性及び予め決められた同期化データを有する信号を受信するために動作可能な受信機機構を具備する。前記基準信号特性は、予め決められた放射性能試験と関連づけられており、前記予め決められた同期化データは、前記予め決められた放射性能試験と関連づけられた前記無線デバイスの複数の位置のうちの選択された１つの位置に対応する。さらに、前記デバイスは、前記受信機機構と通信しさらに測定された信号特性を前記受信された信号に基づいて決定するために動作可能な処理システムを具備する。前記測定された信号特性は、前記基準信号特性に対応し、前記処理システムは、前記受信信号からの前記予め決められた同期化データを構文解析するためにさらに動作可能である。さらに、前記デバイスは、前記測定された信号特性及び前記対応する予め決められた同期化データを具備する試験ログを格納するために動作可能なデータレポジトリを具備する。前記デバイスは、前記測定された信号特性及び前記対応する予め決められた同期化データを前記処理システムから収集して前記データレポジトリに格納させるために動作可能な放射性能試験モジュールを具備し、前記測定された信号特性及び前記対応する予め決められた同期化データは、両方とも、前記無線デバイスの予め決められた放射性能特性を前記予め決められた放射性能試験に基づいて少なくとも部分的に決定可能である
他の実施形態においては、無線デバイスの放射性能を決定する方法は、予め決められた放射性能試験と関連づけられた複数の予め決められた位置のうちの選択された１つの位置に無線デバイスを位置決めすることを具備する。前記方法は、前記無線デバイスに信号を送信することを具備し、前記信号は、基準信号特性及び前記選択された位置に対応する予め決められた同期化データを有する。さらに、前記方法は、前記無線デバイスからレコードを受信することを含み、前記レコードは、前記無線デバイスの受信機モジュールによって測定され、前記基準信号特性に対応し、さらに前記予め決められた同期化データと相互に関連する測定信号特性を含む。さらに、前記方法は、前記測定された信号特性を、前記予め決められた同期化データに基づいて前記選択された位置に対応する位置情報と同期化することを含む。さらに、前記方法は、前記同期化された測定された信号特性及び位置情報に基づいて前記無線デバイスの放射性能特性を生成することを含む。
【発明を実施するための最良の形態】
【００２１】
図１に関して、一実施形態においては、無線デバイス１２の放射性能を決定するためのシステム１０は、電波信号１８を無線デバイス１２に送信するための制御信号１６を発生させるために動作可能なコントローラシステム１４を含む。無線デバイス１２は、試験室２０内において、コントローラシステム１４によって実施される予め決められた放射性能試験２４と関連づけられた複数の予め決められた位置から選択された位置２２に配置される。制御信号１６は、ポジショニング成分２６を含み、ポジショニング成分２６は、選択された位置２２の物理的座標を定義し、それによって無線デバイス１２が取り付けられるポジショニングシステム２８の動きを指示する。さらに、制御信号１６は、対応するシグナリング成分３０を含み、シグナリング成分３０は、電波信号１８を定義し、それによって無線信号システム３２による送信を指示する。一実施形態においては、例えば、無線信号システム３２は、携帯電話ネットワークにおける基地局をシミュレーションし、従って、電波信号１８は、順方向チャネル信号であるとみなすことができる。さらに、電波信号１８は、実際の又は基準となる信号特性３４、例えば信号電力、及び予め決められた同期化データ、例えば選択された位置２２に対応する位置情報又は時間情報、を含むことができる。例えば、基準信号特性３４は、のちの計算、例えば利得計算、に関する基準値として用いることができる既知の特性又は値である。同様に、予め決められた同期化データ３６は、無線デバイス１２によって得られた測定値を、当該測定値が得られたときの無線デバイス１２の位置２２の物理的座標と相互に関連づけることを可能にする。
【００２２】
無線デバイス１２は、信号１８を受信して処理し、その結果、基準信号特性３４に対応する測定された信号特性３８が生成される。換言すると、測定された信号特性３８は、無線デバイス１２に常駐する受信機関連の構成要素によって測定された、基準信号特性３８の受信値である。さらに、無線デバイス１２は、信号１８からの同期化データ２６を構文解析し、それによって各々の測定された信号特性３８を前記測定が行われた各々の選択位置２２と関連させる能力を提供する。さらに、無線デバイス１２は、前記受信信号の測定をモニタリングしてそのデータの構文解析を指示する放射性能試験モジュール４０を含む。さらに、放射性能試験モジュール４０は、測定された信号特性３８及び同期化データ３６をロギングするために動作し、それによって各選択位置２２に関する試験条件及び試験結果のレコードを形成する。次に、システム１０は、所定の予め決められた放射性能試験２４によって決定されたすべての位置において信号が受信されるまで、残りの複数の予め決められた位置に順次対処する。
【００２３】
すべての試験情報がロギングされた時点で、放射性能試験モジュール４０は、すべてのロギングされた測定された信号特性３８及び対応する同期化データ３６を解析し、無線デバイス１２に関する放射性能特性４２を生成する。一実施形態においては、例えば、放射性能特性４２は、放射感度評価基準を含むことができ、該放射感度評価基準は、無線デバイス１２のアンテナにおける電力利得及び／又は電圧利得の関数であって単一の又は複数のアンテナに関して測定することができる。複数のアンテナを有する無線デバイス１２の一実施形態に関しては、放射性能特性３８は、前記複数の受信チェーン／アンテナ間の相関関係を予測しそれによって所定のアンテナ構成によって提供されるダイバーシティ利得を示すために利用される複素電圧受信利得を含むことができる。
【００２４】
他の実施形態においては、例えば、同期化データ３６が時間情報を含む場合は、放射性能特性４２は、コントローラシステム１４において決定することができる。この場合は、測定された信号特性３８及び対応する同期化データ３６のログは、無線デバイス１２からコントローラシステム１４に配置された試験マネージャモジュール４４に転送することができる。試験マネージャモジュール４４は、対応する時間情報と位置情報の他のログを維持し、該ログは、予め決められた放射性能試験２４によって指示された各位置に関する測定された信号特性３８と同期化された位置情報のレコード又はログを生成するために無線デバイス１２からのログと相互に関係する。この場合は、試験マネージャモジュール４４は、放射性能特性４２を決定するためにこの同期化ログの解析を開始する。
【００２５】
その他の実施形態においては、例えば、予め決められた放射性能試験２４は、無線信号システム３２に送信される無線デバイス発の電波信号４６が関わる試験を含むことができる。この試験は、無線デバイス１２の送信チェーン／アンテナの性能試験である。無線信号システム３２が携帯電話ネットワークの基地局をシミュレーションする実施形態においては、無線デバイス発の電波信号４６は、逆方向チャネル信号であるとみなすことができる。信号４６は、将来の計算に関する基準として用いることができる基準信号特性４８を含み、無線信号システム３２は、信号４６を受信及び処理し、それによって、システム３２によって受信される対応する測定信号特性５０を生成する。この実施形態においては、コントローラシステム１４の試験管理モジュール４４は、測定された信号特性５０及び位置成分２６において見つけ出された対応する位置情報をロギングするために動作する。次に、システム１０は、所定の予め決められた放射性能試験２４によって決定されたすべての位置において信号４６が受信されるまで、残りの複数の予め決められた位置に順次対処する。すべての試験情報がロギングされた時点で、試験管理モジュール４４は、すべてのロギングされた測定信号特性５０及び位置成分２６からの対応する位置情報（同じく同期化情報３６であるとみなすこともできる）を解析し、無線デバイス１２に関する放射性能特性４２を生成する。この場合は、例えば、放射性能特性４２は、無線デバイス１２の送信性能の評価基準、例えば送信電力利得、を含むことができる。さらに、無線デバイス１２は、信号１８を受信して同時に信号４６を送信し、それによって各試験と関連づけられた複数の予め決められた位置において重複が存在する場合に試験時間を短縮するようにセットアップすることができる。
【００２６】
以上のように、システム１０は、有利なことに、受信機データを直接無線デバイス１２において記録し、それによって、前記デバイスの真の受信機関連放射性能を歪める可能性がある外部のコネクタ及びケーブルの必要性を排除することを含む。さらに、システム１０は、有利なことに、各選択位置２２に対応する測定された信号特性３８及び位置情報又は物理的座標の無線同期化を備え、それによって外部の同期化装置及び後処理装置に接続される外部のコネクタ及びケーブルの必要性を排除する。さらに、システム１０の無線デバイス１２によって提供されるロギング能力及び同期化能力は、複数の放射性能試験を同時に実施することを可能にする。従って、システム１０は、無線デバイス１２の放射性能を決定するための効率的な装置構成を提供する。
【００２７】
１つの特定の実施形態においては、例えば、本明細書において説明されるシステム、装置及び方法は、携帯電話の放射試験に役立つ。この実施形態においては、単一の試験において収集された測定データから幾つかの放射性能特性４２を導き出すことができる。特に、決定可能な放射性能特性４２は、総放射電力（“ＴＲＰ”）特性、総等方感度（“ＴＩＳ”）特性、ピーク実効等方放射電力（“ＥＩＲＰ”）特性、ピーク受信機感度特性、ピーク利得特性、平均利得特性、及びダイバーシティによってイネーブルにされる電話に関するパターン相関である。一般的には、説明される実施形態は、試験ケーブルを試験電話機に接続する必要なしに、３つのチャネル周波数における複素受信及び最大送信ＥＩＲＰパターン測定をオーバー・ザ・エアで行う。予め決められた放射試験を無線で実施することによって、説明される実施形態は、放射パターンを歪める可能性がある外部のアンテナ試験ケーブルを排除することによって測定精度を向上させる。さらに、説明される実施形態は、すべての試験に関して１つの電話機しか必要でないため特別の試験設備を要求しない。対照的に、先行技術は、アンテナ利得／パターン試験用の別個のケーブル付き電話備品、ピークＥＩＲＰ及び受信感度放射試験用の第２の無線電話を要求する。さらに、この特定の実施形態は、以下においてさらに詳細に説明されるように、現在のＴＲＰ及びＴＩＳ試験方法よりもかなり高速である加速試験方法を提供する。例えば、本システムを用いた実験結果に基づいた場合、ＴＲＰ及びＴＩＳ試験の総試験時間は、低周波数、中周波数、及び高周波数に関して約１．７５時間であり、他方、先行技術であるＴＩＳ試験に関する試験時間は、１つの周波数のみで約３乃至５時間である。
【００２８】
この特定の実施形態においては、例えば、測定は、校正されたファーフィールド無反響室において行われる。試験用アプリケーションが試験電話機内にローディングされ、その他の専用制御ソフト及び後処理用ソフトが、前記無反響室の装置を制御するホストコンピュータ内にローディングされる。前記無反響室のホーンアンテナにセルサイトシミュレータ又はコールボックスが接続され、それによって前記無反響室の奥の回転式台座に取り付けられた試験電話機へのオーバー・ザ・エア（ＯＴＡ）呼を可能にする。
【００２９】
受信モード試験に関しては、ユーザーによって定義されたデータパケットを試験電話機のメモリにロギングするコマンドが前記試験電話機に出される。前記定義されたデータパケット、例えば「フィンガーチャネル推定値」ログパケット、は、前記電話機がコールボックス装置から送信された電磁平面波によって照明されたときに電話機のアンテナによって受信される複素パイロット信号（例えば、同相及び直交位相）を含む。前記ロギングは、コールボックスからオーバー・ザ・エアで試験電話機にコマンドを送信することによってトリガーすることができる。このロギグングイベントを前記台座及び試験電話機の動きと同期化することによって、複素同相及び直交位相受信パターンが、球体を網羅する視界における各測定角度で得られる。さらに、無反響室ホーンが垂直偏波及び水平偏波に関する方位を定められた状態で試験が実施され、従って、垂直及び水平の受信パターンが得られる。さらに、ダイバーシティによってイネーブルにされる電話機に関しては、同じパケットデータを同様の方法でロギングすることによって二次アンテナの複素受信パターンが得られる。
【００３０】
送信モード試験に関して、試験電話機の送信機が最大電力にある状態で前記試験電話機によって所定の測定方向に送信された放射電力を測定するために電力計が用いられる。前記試験電話機には、最大送信電力で放射するためのコマンドが例えばコールボックス装置からのＯＴＡ信号を介して送信される。送信された電力は、無反響室ホーンによって収集され、電力計によって各測定角度で測定される。さらに、無反響室経路損失が決定され、それにより基準信号によって考慮することができ、それによって電話機のＥＩＲＰの決定を可能にする。測定データは、試験電話機が球体を網羅する様々な試験角度に回転されるのに従ってリアルタイムで格納される。さらに、垂直偏波及び水平偏波の両方に方位が定められた無反響室ホーンに関する試験が行われ、垂直及び水平偏波ＥＩＲＰパターンが得られる。
【００３１】
３つのすべての測定（送信ＥＩＲＰ、及び一次アンテナと二次アンテナの受信複素界測定）が各測定角度で順に行われる。以上のように、すべての受信データ及び送信データを単一回の試験によって収集することが可能である。
【００３２】
この特定の実施形態に関連する追加の詳細が以下において説明される。
【００３３】
図２に関して、無線デバイス１２は、あらゆる型のコンピュータ化された無線デバイス、例えば、携帯電話、パーソナルデジタルアシスタント、双方向テキストページャー、及び持ち運び可能なコンピュータ、等を含むことができる。前記無線デバイスは、エンドユーザーを有しておらず単に無線ネットワークを通じてデータを通信するリモート−スレーブデバイス、又はその他のデバイスであることができる。リモート−スレーブデバイス例は、リモートセンサー、診断ツール、データリレー、等を含む。従って、本明細書において説明される無線デバイス１２において実行される機能は、無線モデム、ＰＣＭＣＩＡカード、無線アクセス端末、無線パーソナルコンピュータ、無線電話、又はその組合せもしくは副組合せを制限することなしに含むあらゆる形態の無線デバイス又はコンピュータモジュールにおいて実行することができる。
【００３４】
さらに、無線デバイス１２は、無線デバイス内への入力を生成するための入力機構５２、及び無線デバイスのユーザーによって用いられる情報を生成するための出力機構５４を有する。例えば、入力機構５２は、キー、キーボード、マウス、タッチ画面式ディスプレイ、音声認識文字、等の機構を含むことができる。無線デバイス内への入力は、セットアップ、パラメータの変更、及び放射試験の実行のための又はロギングされた情報を無線デバイスか転送するためのメニュー選択項目を含むことができる。さらに、例えば、出力機構５４は、ディスプレイ、音声スピーカー、触覚式フィードバック機構、等を含むことができる。出力するために生成される情報は、試験を実施するための及び試験結果を転送するための上記メニュー、試験結果のビュー、等を含むことができる。
【００３５】
さらに、無線デバイス１２は、無線ネットワークを通じてデータを送信することができさらにソフトウェアアプリケーションを受信して実行すること及び無線ネットワークに接続された他のコンピュータデバイスから送信されたデータを表示することができるコンピュータプラットフォーム５６を有する。コンピュータプラットフォーム５６は、データレポジトリ５８を含み、データレポジトリ５８は、揮発性及び非揮発性のメモリ、例えば、読取専用メモリ（“ＲＯＭ”）及び／又はランダムアクセスメモリ（“ＲＡＭ”）、消去可能プログラマブル読取専用メモリ（“ＥＰＲＯＭ”）、電子的消去可能プログラマブル読取専用メモリ（“ＥＥＰＲＯＭ”）、フラッシュメモリカード、又はコンピュータプラットフォームに共通するあらゆるメモリ、を具備することができる。さらに、データレポジトリ５８は、１つ以上の第２又は第３の記憶装置、例えば、磁気媒体、光学媒体、テープ、ソフトディスク、ハードディスク、等を含むことができる。
【００３６】
さらに、コンピュータプラットフォーム５６は、処理エンジン６０も含み、処理エンジン６０は、特定用途向け集積回路（“ＡＳＩＣ”）、又はその他のチップセット、プロセッサ、論理回路、又はその他のデータ処理装置であることができる。処理エンジン６０又はその他のプロセッサ、例えばＡＳＩＣは、無線デバイス１２のデータレポジトリ５８内のあらゆる常駐プログラム、例えば放射性能試験モジュール４０、とインタフェースするアプリケーションプログラミングインタフェース（“ＡＰＩ”）層６２を実行することができる。ＡＰＩ６２は、各々の無線デバイスにおいて実行する実行時間環境である。１つの前記実行時間環境は、カリフォルニア州サンディエゴに所在するＱｕａｌｃｏｍｍ，Ｉｎｃ．によって開発されたBinary Runtime Environment for Wireless（登録商標）（ＢＲＥＷ（登録商標））（無線に関するバイナリ実行時間環境）ソフトウェアである。例えば無線コンピューティングデバイスにおけるアプリケーションの実行を制御するために動作するその他の実行時間環境を利用することが可能である。
【００３７】
処理エンジン６０は、ハードウェア、ファームウェア、ソフトウェア、及びその組合せ内において具体化されて無線デバイス１２の機能性及び無線ネットワークにおける前記無線デバイスの動作性を可能にする様々な処理サブシステム６４を含む。例えば、処理サブシステム６４は、その他のネットワーク構成されたデバイスとの通信の開始と維持、及びデータ交換を考慮する。携帯電話等の一実施形態においては、通信処理エンジン６０は、１つの処理サブシステム６４又はその組合せ、例えば、音声、非揮発性メモリ、ファイルシステム、送信、受信、サーチャー、レイヤ１、レイヤ２、レイヤ３、主制御、遠隔手順、ハンドセット、電力管理、診断、デジタル信号プロセッサ、ボコーダー、メッセージング、コールマネージャ、Ｂｌｕｅｔｏｏｔｈ（登録商標）システム、Ｂｌｕｅｔｏｏｔｈ（登録商標）ＬＰＯＳ、位置決定、位置エンジン、ユーザーインタフェース、スリープ、データサービス、セキュリティ、認証、universal subscriber identity module/subscriber identity module（“ＵＳＩＭ／ＳＩＭ”）（汎用加入者識別モジュール／加入者識別モジュール）、音声サービス、グラフィックス、ユニバーサルシリアルバス（“ＵＳＢ”）、マルチメディア、例えば動画エキスパートグループ（“ＭＰＥＧ”）、汎用パケット無線サービス（“ＧＰＲＳ”）、等、を含むことができる。開示される実施形態に関しては、処理エンジン６０の処理サブシステム６４は、コンピュータプラットフォーム５６上で動作するアプリケーションと対話するあらゆるサブシステム構成要素を含むことができる。例えば、処理サブシステム６４は、放射性能試験モジュール４０の代わりにＡＰＩ６２からデータ読み取り及びデータ書き込みを受け取るサブシステム構成要素を含むことができる。さらに、放射性能試験モジュール４０によって収集及びロギングされる受信機関連データ及び／又は送信機関連データを全部又はその一部分をこれらのサブシステム６４から入手可能である。
【００３８】
コンピュータプラットフォーム５６は、ハードウェア、ファームウェア、ソフトウェア、及びその組合せ内において具体化されて無線デバイス１２の様々な構成要素間における通信及び無線デバイス１２と無線ネットワークとの間における通信を可能にする通信モジュール６６をさらに含むことができる。一実施形態においては、例えば、通信モジュール６６は、アンテナシステム７２を通じて電波信号４８等の情報を無線送信するための送信機モジュール６８と、アンテナシステム７２を通じて電波信号１８等の情報を無線受信するための受信機モジュール７０と、を含む。上述されるように、アンテナシステム７２は、単一のアンテナ、例えばモノポールアンテナ、ダイポールアンテナ、ヘリカルアンテナ、平面アンテナ、等、又はこれらのアンテナを組み合わせて形成された複数のアンテナを含むことができる。例えば、前記多アンテナシステムは、複数（ＮＴ）の送信アンテナ及び複数（ＮＲ）の受信アンテナをデータ送信に関して採用した多入力多出力（“ＭＩＭＯ”）通信システムを含むことができる。代替として、例えば、前記多アンテナシステムは、複数（ＮＴ）の送信アンテナ及び単一の受信アンテナをデータ送信に関して採用する多入力単出力（“ＭＩＳＯ”）通信システムを含むことができる。いずれの場合においても、アンテナシステム７２と組み合わせた受信機モジュール７０は、無線デバイス１２の受信チェーンであるとみなすことができる。同様に、送信機モジュール６８及びアンテナシステム７２は、前記無線デバイスの送信チェーンであるとみなすことができる。
【００３９】
さらに、上述されるように、コンピュータプラットフォーム１３は、無線デバイス１２における放射性能試験関連活動を管理するための放射性能試験モジュール４０をさらに含む。放射性能試験モジュール４０は、無線デバイス１２の放射性能特性４２に関連する情報、例えば受信機データ及び／又は送信機データ、の集合を管理するために動作可能なあらゆるハードウェア、ソフトウェア、ファームウェア及び／又はその他の一組の実行可能な命令を含むことができる。放射性能試験モジュール４０は、測定された信号特性３８、同期化データ３６、送信機及び／又は受信機関連のデータ、及び／又は予め決められた放射性能試験２４に関連するあらゆる情報をロギング、格納及び利用可能にするために何時でも始動させることができる。
【００４０】
一実施形態においては、例えば、放射性能試験モジュール４０は、放射性能試験関連情報を収集、格納及びアクセスするか又は転送する能力を提供する性能論理７４を含む。さらに、幾つかの実施形態においては、性能論理７４は、所定の性能試験２４のパラメータに基づいて放射性能特性４２を生成する無線デバイス１２の能力を始動させることができる。
【００４１】
さらに、放射性能試験モジュール４０は、コントローラシステム１４によって実行される予め決められた放射性能試験２４に対応するログパラメータ７８及び／又は試験変数８０を定義するデバイス試験コンフィギュレーション７６を含む。例えば、ログパラメータ７８は、所定の放射性能試験に関する受信機データ８２及び／又は送信機データ８４として収集及びロギングするあらゆる種類の情報を定義する。例えば、一実施形態においては、ログパラメータ７８は、１つ以上の処理サブシステム６４から入手可能な測定された又は基準の受信機データ８２及び／又は測定された又は基準の送信機データ８４を定義する。例えば、無線電話の場合は、ログパラメータ７８は、処理エンジン６０及び／又は処理サブシステム６４から入手可能なログデータパケットを含むことができる。前記ログデータパケットに入っている情報の例は、制限することなしに、所定の受信チェーン／アンテナからの受信電力、所定の送信チェーン／アンテナからの送信電力、所定の受信チェーンと関連する同相パイロット電圧及び直交位相パイロット電圧、フィンガーロック状態、受信信号の相対的遅延（例えば反射された信号を受信時におけるように、同じ信号の第１のインスタンスと第２のインスタンスとの間の受信時間差、等）を含む。特に、ＣＤＭＡシステムの一実施形態においては、前記ログデータパケットは、“Ｓｅａｒｃｈ  ＴＮＧ  Ｆｉｎｇｅｒ  Ｓｔａｔｕｓ”（ＴＮＧフィンガー状態探索）パケットと、“ＲＦ”サブパケットと、“Ｆｉｎｇｅｒ  Ｉｎｆｏ”（フィンガー情報）サブパケットと、及び“Ｆｉｌｔｅｒｅｄ  Ｐｉｌｏｔ  Ｓｙｍｂｏｌ”（フィルタリングされたパイロットシンボル）サブパケットと、を含む。その追加で、又は代替として、ログパラメータ７８は、無線デバイス１２によって受信された又はその他の形でアクセス可能なその他の放射性能関連情報を定義することができる。例えば、一実施形態においては、ログパラメータ７８は、試験コンフィギュレーション関連情報、及び／又は無線デバイス１２によって受信された信号からのデータパケット内の情報、例えば信号１８からの基準信号特性３４及び／又は同期化データ３６、を含むことができる。しかしながら、所定の放射性能試験の性質に依存してその他の多くのログパラメータ７８を定義できることを理解すべきである。
【００４２】
さらに、例えば、試験変数８０は、受信機データ８２及び／又は送信機データ８４を収集すること、及び／又は収集データに関する解析を行うことと関連する値を定義する。一実施形態においては、例えば、試験変数８０の種類は、サンプリング速度、１つのサンプル当たりのデータパケット数、ロギングをイネーブル又はディスエーブルにするためのコード、等を含む。しかしながら、所定の放射性能試験の性質に依存してその他の多くのログパラメータ８０を定義できることを理解すべきである。
【００４３】
さらに、性能論理７４は、所定のデバイス試験コンフィギュレーション７４、及び／又は関連するログパラメータ７８及び／又は試験変数８０を複数の利用可能な試験コンフィギュレーション、ログパラメータ及び／又は試験変数から選択するように無線デバイス１２のユーザーを促すために動作することができる。例えば、図２及び３に関して、放射性能試験モジュール４０は、ユーザーインタフェース又はビュー７５、例えば、出力機構５４を介してユーザーに提示することができる複数のナビゲーションメニュー、を含むことができる。ビュー７５は、例えば所定のメニュー、プログラム及び／又はバージョンを識別するためのヘッダ情報７７及び脚注情報７９を含むことができる。さらに、ビュー７５は、所定の試験と関連づけられた様々な機能をイネーブルにするための実行可能なコマンド８１を提供することができる。例えば、コマンド８１は、コンフィギュレーションに基づいてロギングを開始するようにモジュールに指図するｓｔａｒｔ、ロギングを停止するように指図するｓｔｏｐ、メモリに格納されたあらゆるログを消去するためのｅｒａｓｅ  ａｌｌ  ｌｏｇｓ、ロギングを中断するように前記モジュールに指示するためのｓｕｓｐｅｎｄ（ただし、前記モジュールは、使用中のメモリが予め決められたしきい値に達した場合に自動的にロギングを中断するための論理を含むことができる）、中断コマンド後にロギングを再開するためのｒｅｓｕｍｅ、例えばデバッギング作業に用いるための内部メモリバッファを解放するためのｒｅｌｅａｓｅ、記録されたデータを第１のメモリから第２のメモリに書き込むためのｗｒｉｔｅ  ｔｏ  ｍｅｍｏｒｙ、デバッギングのために役立つクリーンアップ機能が呼び出されて実行されるように通常のパワーダウンをデバイスに模倣させるためのｓｉｍｕｌａｔｅｄ  ｐｏｗｅｒ  ｄｏｗｎ、格納されたデータ及び／又はログを他のコンピュータデバイス、例えばコントローラシステム１４、にアップロードするように要求するｒｅｑｕｅｓｔ  ｕｐｌｏａｄ、例えば他のデバイスからコマンドを受信時、及び／又はデータコールを開始時に、及び／又はアップロードを要求時又は完了時に用いるために、及びデバッギング作業において用いるために、音声及び／又は振動警告フィードバックを設定するためのトグルであるａｕｄｉｏ／ｖｉｂｒａｔｉｏｎ、を含むことができる。さらに、ビュー７５は、例えば試験変数８０に関する値を入力するための変更可能フィールド８３を含むことができる。従って、ユーザーは、無線デバイス１２のビュー７５を通じて予め決められた放射性能試験をコンフィギュレーションして実行することができる。
【００４４】
代替として、デバイス試験コンフィギュレーション７６は、有線又は無線接続を介して無線デバイス１２に送信することができ、又は製造時にコンピュータプラットフォーム５６に含めることができる。
【００４５】
さらに、放射性能試験モジュール４０は、放射性能関連情報をデバイス試験コンフィギュレーション７６に基づいて格納するためのデバイス試験ログ８６を含む。デバイス試験ログ８６は、無線デバイス１２を用いて実施される１つ以上の放射性能試験と関連する試験条件及び／又は試験結果を含むことができるデータレポジトリ５８内に格納されたレコードを具備する。上述されるように、例えば、デバイス試験ログ８６は、無線デバイス（“ＷＤ”）受信機データ８２及び／又はＷＤ送信機データ８４を含むことができる。一実施形態においては、受信機データ８２は、各選択位置２２において信号１８を処理時に処理サブシステム６４から収集される１つ以上の測定された信号特性３８を含む。さらに、デバイス試験ログ８６は、所定の放射性能試験中に無線デバイスによって生成されるデータに対応するその他の情報を含むことができる。例えば、デバイス試験ログ８６は、受信信号内の情報、例えば、信号１８からの予め決められた同期化データ３６及び／又は基準信号特性３４、等、を含むことができる。一実施形態においては、基準信号データ３４は、無線デバイス１２によって受信された信号１８の原状態、例えば、電力値、振幅値、位相値、周波数値、信号型／プロトコル、等、を定義するデータであることができる。一実施形態においては、予め決められた同期化データ３６は、無線デバイスが選択位置２２にあったときに対応する時間情報、又は選択位置２２の座標を定義する位置情報であることができる。さらに、デバイス試験ログ８６は、所定の一組の収集データと関連する試験条件の便利な参照を可能にするために、収集された受信機データ８２及び／又は送信機データ８４と関連するデバイス試験コンフィギュレーション７６全体又はその一部分を含むことができる。
【００４６】
さらに、幾つかの実施形態においては、放射性能試験モジュール４０は、所定の予め決められた放射性能試験２４に関する無線デバイス１２と関連する放射性能特性４２を決定するためのデバイスアナライザモジュール８８を含むことができる。デバイスアナライザモジュール８８は、デバイス試験ログ８６において収集された情報を解析するために及び放射性能特性４２を生成するために動作可能なあらゆるハードウェア、ソフトウェア、ファームウェア及び／又はその他の組の実行可能命令を含むことができる。一実施形態においては、例えば、デバイスアナライザモジュール８８は、解析プロトコル９０を含むことができ、解析プロトコル９０は、放射性能特性４２を生成するためにログ８６内の情報を処理及び／又は解析する方法と関連する関数、アルゴリズム、等を含むことができる。例えば、解析プロトコル９０は、例えばロギングされた情報を利用して希望される評価基準、例えば試験結果の部分的解法、又は試験の最終的解法、すなわち放射性能特性４２、を決定するために、性能試験、インテグレーションプロトコル、シミュレーションモデル、予測モデル、統計解析、等の実装を含むことができる。従って、放射性能特性４２は、制限することなしに、電力及び／又は電圧利得、感度測定値、複素パターン相関、フェージング相関、２つの受信チェーン／アンテナ間の利得差、等の評価基準であることができる。さらに、放射性能試験モジュール４０は、無線デバイス１２及び／又は他のコンピュータ化デバイス、例えばコントローラシステム１４、における送信、レビュー及び／又は解析のために、デバイス試験ログ８６に、又はログ８６の１つ以上のコンポーネントと関連するその他の何らかのレコードに生成された放射性能特性４２を格納することができる。さらに、解析プロトコル９０は、デバイス試験コンフィギュレーション７６に内蔵し、放射性能試験結果を決定するために実行中にデバイスアナライザモジュール８８によってアクセスすることができる。
【００４７】
図１及び４乃至６に関して、コントローラシステム１４は、あらゆる型のハードウェア、ソフトウェア、ファームウェア、ワークステーション、サーバー、パソコン、ミニコンピュータ、メインフレームコンピュータ、又はあらゆる専用又は汎用のコンピューティングデバイスのうちの少なくとも１つを具備することができる。さらに、コントローラシステム１４は、無線デバイス１２に完全に常駐することができる。さらに、コンピュータシステム１４は、本明細書において説明される機能を果たすために協調して動作する別個のサーバー又はコンピュータデバイスを含むことが可能である。コントローラシステム１４（又は複数のモジュール）は、無線デバイス１２が常駐アプリケーション及びサブシステムから情報を戻すために、ソフトウェアエージェント又はアプリケーション、例えば常駐する放射性能試験モジュール４０を、無線ネットワークを通じて無線デバイス１２に送信することが可能である。例えば、無線デバイス１２は、予め決められた放射性能試験２４中にデバイス試験コンフィギュレーション７６の実行結果をデバイス試験ログ８６の形で送信することができ、コントローラシステム１４は、放射性能特性４２を生成するためにこの結果を予め決められた時間情報又は位置情報と同期化させることができる。
【００４８】
さらに、コントローラシステム１４は、該システム内への入力を生成するための入力機構９２、及び前記コントローラシステムのユーザーによって使用するための情報を生成するための出力機構９４を有する。例えば、入力機構９２は、キー、キーボード、マウス、タッチ画面式ディスプレイ、音声認識モジュール、等の機構を含むことができる。コントローラシステム１４内への入力は、セットアップ、パラメータの変更、及び放射試験の実行のための又は無線デバイスからのロギングされた情報をコントローラシステム上のロギングされた情報と同期化させるためのメニュー選択項目を含むことができる。さらに、例えば、出力機構９４は、ディスプレイ、音声スピーカー、触覚式フィードバック機構、等を含むことができる。出力するための生成情報は、試験を実施するための及び試験結果を同期化及び／又は計算するための上記メニュー、試験結果のビュー、等を含むことができる。
【００４９】
さらに、コントローラシステム１４は、データを送信及び受信することができさらにソフトウェアアプリケーションを受信して実行すること及びデータを表示させることができるコンピュータプラットフォーム９６を有する。コンピュータプラットフォーム９６は、記憶機構９８を含み、記憶機構９８は、揮発性及び非揮発性のメモリ、例えば、読取専用メモリ（“ＲＯＭ”）及び／又はランダムアクセスメモリ（“ＲＡＭ”）、消去可能プログラマブル読取専用メモリ（“ＥＰＲＯＭ”）、電気消去可能プログラマブル読取専用メモリ（“ＥＥＰＲＯＭ”）、フラッシュメモリカード、又はコンピュータプラットフォームに共通するあらゆるメモリ、を具備することができる。さらに、記憶機構９８は、１つ以上の第２次又は第３次記憶装置、例えば、磁気媒体、光学媒体、テープ、ソフトディスク、ハードディスク、等を含むことができる。
【００５０】
さらに、コンピュータプラットフォーム９６は、中央処理装置１００も含み、中央処理装置１００は、特定用途向け集積回路（“ＡＳＩＣ”）、又はその他のチップセット、論理回路、プログラマブル論理マシン、又はその他のデータ処理装置のうちの１つ又はその組合せであることができる。中央処理装置１００は、以下においてより詳細に説明されるように、ソフトウェアに内蔵される命令及びデータ、例えば放射試験マネージャモジュール４４全体又はその一部分、を解釈及び実行する。
【００５１】
さらに、コンピュータプラットフォーム９６は、ハードウェア、ファームウェア、ソフトウェア、及びその組合せ内において具体化されて、コントローラシステム１４の様々な構成要素間での通信及びコントローラシステム１４とその他のデバイス、例えばポジショニングシステム２８、無線信号システム３２、無線デバイス１２との間の通信を可能にする通信モジュール１０２をさらに含む。例えば、通信モジュール１０２は、例えばデバイス試験ログ８６を受信するための入力ポートと、例えば制御信号１６を送信するための出力ポートと、を含む。
【００５２】
前述されるように、コンピュータプラットフォーム９６は、コントローラシステム１４におけるすべての放射性能試験活動を実行および管理するための放射試験マネージャモジュール４４をさらに含む。放射試験マネージャモジュール４４は、ハードウェア内、ファームウェア内、ソフトウェア内、及びその組合せ内において具体化させることができる。一実施形態においては、放射試験マネージャモジュール４４は、予め決められた放射性能試験２４を実行する能力を提供する管理論理１０４を含む。さらに、幾つかの実施形態においては、管理論理１０４は、放射性能特性２４を生成するための収集ログの解析を開始する能力を提供することができる。
【００５３】
一実施形態においては、放射試験マネージャモジュール４４は、コントローラシステム１４によって実行できる複数の予め決められた放射性能試験１０８を有するライブラリ１０６を含む。例えば、前記複数の予め決められた放射性能試験１０８は、異なる試験プロトコルを含むことができ、前記試験プロトコルは、基準機関、無線業者、無線デバイスメーカー、無線デバイスプロセッサ、アンテナシステム、無線デバイスモデル、等ごとに異なる可能性があり、さらに異なる放射性能特性を決定するように設計することもできる。いずれの場合においても、管理論理１０４は、前記複数の予め決められた放射性能試験１０８の中から放射性能試験２４を選択するためのインタフェースをユーザーに提供することができる。代替として、放射性能試験２４は、コンピュータプラットフォーム９６に個々にローディングして放射試験マネージャモジュール４４によって実行することができる。
【００５４】
図５に関して、一実施形態においては、予め決められた放射性能試験２４は、信号１８及び４６がそれぞれ無線デバイス１２に送信されるか又は無線デバイス１２から送信される一組の複数の位置１１０を含む。前記複数の位置１１０は、特定の試験プロトコルに対応する。例えば、幾つかの放射試験の要求に従って、複数の位置１１０は、球体上の点を具備することができる。しかしながら、複数の位置１１０は、あらゆる種類の線又はあらゆる種類の形状と関連づけることができる点を具備できることを理解すべきである。前述されるように、各信号１８、４６とは、１つ以上の基準信号特性３４及び４８をそれぞれ関連づけることができる。これらの基準信号特性３４、４８は、制限することなしに、信号電力、信号振幅、信号位相、信号周波数、信号型／プロトコル、及び無線デバイス１２の放射性能を決定することを目的として設定することができるその他の制御可能な信号パラメータを含むことができる。
【００５５】
さらに、幾つかの実施形態においては、各信号１８、４６は、データパケットをさらに含むことができ、前記データパケットは、予め決められたオーバー・ザ・エア（“ＯＴＡ”）データ１１２として定義することができる。例えば、上述されるように、予め決められたＯＴＡデータ１１２は、時間情報１１４及び／又は位置情報１１６を定義する予め決められた同期化データ３６を含むことができる。時間情報１１４は、無線デバイス１２が複数の位置１１０のうちの１つ、例えば選択された位置２２、にあるときを定義するデータを含む。一実施形態においては、例えば、時間情報１１４は、時間モジュール１１８から取得することができ、時間モジュール１１８は、中央処理装置１００と関連づけられたローカルモジュールであること又はデータの同期化を目的としてコントローラシステム１４によってアクセス可能なリモートモジュールであることができる。位置情報１１６は、選択された位置２２の空間座標を定義するデータを含む。前述されるように、予め決められた同期化データ３６は、解析用の一組の測定データを生成するために、各選択位置２２における測定値、例えば（無線デバイス１２によって受信された）測定された信号特性３８又は（無線信号システム３２によって受信された）測定された信号特性５０をすべての複数の位置１１０と関連づけるために利用される。
【００５６】
さらに、予め決められたＯＴＡデータ１１２は、追加のＯＴＡデータ１２０を含むことができ、追加のＯＴＡデータ１２０は、所定の無線プロトコル内のメッセージを具備する予め定義されたデータパケットを含むことができる。これらのメッセージは、追加データをさらに定義する複数のサブパケットを含むことができる。例えば、符号分割多重接続プロトコルにおいては、追加のＯＴＡデータ１２０は、ページングメッセージと、肯定応答メッセージと、登録メッセージと、システムパラメータメッセージと、その他のオーバーヘッドメッセージと、を含む。さらに、追加のＯＴＡデータ１２０は、サブパケット情報、例えばサービスオプション、システム識別（“ＳＩＤ”）コード、ネットワーク識別（“ＮＩＤ”）コード、基地局の緯度及び経度の座標、システムコンフィギュレーション／パラメータ情報、試験コンフィギュレーション／パラメータ情報、等をさらに含むことができる。さらに、追加のＯＴＡデータ１２０は、例えばロギングをオン及びオフにする、位置変更を示す、信号の送信時期を示す、等のように無線デバイス１２の機能を制御するコード、及びその他のあらゆるデバイス制御パラメータを含むことができる。例えば、ログパラメータ７８の記録をオン及びオフにするために異なるＳＩＤコード値を用いることができる。さらに、一実施形態においては、予め決められた同期化データ３６は、追加のＯＴＡデータ１２０によって定義された標準オーバーヘッドメッセージの未使用部分に埋め込むことができる。
【００５７】
さらに、予め決められた放射性能試験２４は、上記において詳述されるように、デバイス試験コンフィギュレーション７６をさらに含むことができる。デバイス試験コンフィギュレーション７６は、予め決められた放射性能試験２４全体又はその一部分を実行するための適切な試験モジュールを有するコンピュータ化されたデバイスに関する関連情報を具備することができる。例えば、デバイス試験コンフィギュレーション７６は、無線デバイス１２及びコントローラシステム１４のうちの１つ又は両方が予め決められた放射性能試験２４を実施するのを可能にすることができる。さらに、デバイス試験コンフィギュレーション７６は、デバイス試験のパラメータを詳述する要約情報を具備することができる。一実施形態においては、例えば、デバイス試験コンフィギュレーション７６は、追加のＯＴＡデータ１２０の一部として無線デバイス１２に送信することができる。
【００５８】
さらに、放射性能試験２４は、試験を実施するための又はデバイス試験コンフィギュレーション７６内に実装するための一組のログパラメータ７８及び試験変数８０を含むことができる。さらに、試験の所定のパラメータに基づいて、放射性能試験２４は、試験を実施するための予め決められた一組の制御コマンド１６を含むことができる。
【００５９】
さらに、予め決められた放射性能試験２４は、上記において詳述されるように、放射性能特性４２を生成するためにログ８６内の情報を処理及び／又は解析する解析プロトコル９０をさらに含むことができる。無線デバイス１２が前記解析を行う実施形態においては、例えば、解析プロトコル９０は、追加のＯＴＡデータ１２０の一部として無線デバイス１２に送信することができる。代替として、解析プロトコル９０は、コントローラシステム１４によってローカルで利用することができる。
【００６０】
再度図４に関して、予め決められた放射性能試験２４は、各位置での試験２４と関連づけられた様々なパラメータに基づいて制御信号１６を生成するために放射試験マネージャモジュール４４によって実行される。上述されるように、制御信号１６は、ポジショニングシステム２８を介して複数の位置１１０の各々の位置に無線デバイス１２を移動させるためのポジショニング成分２６を含む。さらに、上述されるように、制御信号は、基準信号特性３４に基づいて無線信号システム３２から無線デバイス１２への信号１８の送信を制御するためのシグナリング成分３０を含む。
【００６１】
一実施形態においては、コントローラシステム１４は、例えば無線デバイス１２がデバイス試験ログ８６をコントローラシステム１４に転送するとき、又は試験２４が無線デバイス１２からの送信信号４６の測定を含むときに、無線デバイス１２の放射性能特性４２を決定する。いずれの場合においても、図６に関して、放射試験マネージャモジュール４４は、試験条件及び／又は試験結果のレコードを維持するための制御試験ログ１２２をさらに含む。一実施形態においては、例えば、制御試験ログ１２２は、試験パラメータを記録するためのデータ試験コンフィギュレーション７６を含み、上述されるように、予め決められたデータ試験２４と関連づけられたデータ全体又はその一部分を含むことができる。
【００６２】
さらに、制御試験ログ１２２は、無線デバイス１２の放射性能を決定するために試験パラメータの測定値と比較することができる試験パラメータの予め決められた値を含むことができる。例えば、制御試験ログ１２２は、無線信号システム３２によって受信された無線デバイス１２からの信号、例えば信号４６、に関する情報を含む制御受信機データ１２６のレコードを含む。例えば、制御受信機データ１２６は、測定された信号特性５０、予め決められた同期化データ３６、基準信号特性４８、及び／又は無線デバイス１２から受信される信号４６と関連するその他の情報を含むことができる。同様に、制御試験ログ１２２は、無線信号システム３２によって無線デバイス１２に送信された信号、例えば信号１８、に関する情報を含む制御送信機データ１２８のレコードを含む。例えば、制御送信機データ１２８は、無線デバイス１２に送信された信号１８に関する情報を定義する基準信号特性３４、同期化データ３６、測定された信号特性３８、及び／又は無線デバイス１２に送信された信号１８と関連するその他の情報を含むことができる。
【００６３】
さらに、上記の実施形態においては、放射試験マネージャモジュール４４は、上述されるように、放射性能特性４２を決定するために制御試験ログ１２２及び／又はデバイス試験ログ８６内に含められているデータに関して解析プロトコル９０を実行するための性能アナライザモジュール１３０を含むことができる。性能アナライモジュール１３０は、無線デバイス１２におけるアナライザモジュール８８と同じ又は類似であることができ、制御試験ログ１２２及び／又はデバイス試験ログ８６において収集された情報を解析するために動作可能なハードウェア、ソフトウェア、ファームウェア及び／又はその他の一組の実行可能な命令を含むことができる。
【００６４】
さらに、性能アナライザモジュール１３０は、同期化されたデータログ１３４を生成するために信号、測定、及び位置を同期化させるために制御試験ログ１２２及び／又はデバイス試験ログ８６を収集してレコードを結合させるために実行可能な同期化論理１３２をさらに含むことができる。特に、同期化論理１３２は、測定された信号特性を各々の関連づけられた基準信号特性とマッチングさせるためにデバイス試験ログ８６と制御試験ログ１２２との間で同期化データ３６をマッチングさせる。例えば、一実施形態においては、レコードの結合をこのようにマッチングさせる結果は、同期化されたデータログ１３４である。この場合は、性能アナライザ１３０は、放射性能特性４２を生成するために同期化データログ１３４に関する解析プロトコル９０を実行する。
【００６５】
再度図１において、ポジショニングシステム２８は、無線デバイス１２を選択位置２２に移動させることができるあらゆる機構であることができる。一実施形態においては、例えば、ポジショニングシステム２８は、選択位置２２を識別しさらにボジショナアセンブリ１３８が取り付けられた無線デバイス１２を選択位置２２に移動させるように指示する制御信号１６のポジショニング成分２６を受信する位置コントローラ１３６を含む。例えば、ポジショナアセンブリ１３８は、ボジショナアセンブリ１３８が無線デバイス１２を所定の平面位置及び／又は球面位置内に移動させること又は無線デバイス１２を所定の位置を通る軸の周囲を回転させることを可能にするために独立して回転可能である及び／又は線形で移動可能である複数の支持構造物、例えばアーム及びベース、を含むことができる。一実施形態においては、例えば、ポジショナアセンブリ１３８は、縦軸を中心にしてあらゆる角度θで及び横軸を中心にしてほぼあらゆる角度φで無線デバイス１２を回転させることができる。さらに、無線デバイス１２の高さは、縦軸の周囲のあらゆる仰角に合わせて調整することができる。ポジショナアセンブリ１３８は、位置コントローラ１３６からコマンドを受信して無線デバイス１２を正確に位置決めするために、回転及び／又はリニアモーター、例えばサーボモーター、を含むことができる。さらに、ポジショナアセンブリ１３８は、無線デバイス１２を取り外し可能な形でポジショナアセンブリ１３８に固定するための取り付け機構１４０を含むことができる。例えば、取り付け機構１４０は、対応するフック・ループファスナシステム、テープ、にかわ、無線デバイスを保持する大きさのスロット付ケース、等であることができる。
【００６６】
同じく図１において、無線信号システム３２は、無線デバイス１２に電波信号を送信する及び／又は無線デバイス１２から電波信号を受信することができるあらゆる機構であることができる。一実施形態においては、例えば、無線信号システム３２は、制御コマンド１６のシグナリング成分３０に基づいて信号を発生させる及び受信するための通信シミュレータモジュール１４２を含む。例えば、無線デバイス１２が携帯電話を含む実施形態においては、通信シミュレータモジュール１４２は、無線ネットワークにおける基地局トランシーバの機能をエミュレートする基地局シミュレータ、例えば、カリフォルニア州パロアルトのアジレント・テクノロジーズから入手可能な８９６０型無線通信テストセット、であることができる。通信シミュレータモジュール１４２は、無線信号システム３２がアンテナ１４４を通じて信号１８を送信すること及び信号４８を受信することを可能にする送信構成要素及び受信構成要素を含むことができる。一実施形態においては、アンテナ１４４は、指向性ホーン型アンテナを含み、該アンテナは、信号と関連する水平ｈ及び／又は垂直ｖ偏波を調整するためのポジショナ１４６を含むことができる。さらに、ポジショナ１４６は、アンテナ１４４の垂直高さを調整することができるが、この調整は、無線デバイス１２の垂直高さがポジショナアセンブリ１３８によって調整可能である場合は必要ないことがある。
【００６７】
さらに、上述されるように、通信シミュレータモジュール１４２は、受信信号４６の予め決められたパラメータを測定するための受信構成要素を含むことができる。代替として、無線信号システム３２は、対象となるパラメータを測定するための追加の受信機構成要素１４８、例えば電力計、を含むことができる。いずれの場合においても、無線信号システム３２は、受信信号４６を測定し、この情報をコントローラシステム１４に報告する。例えば、無線信号システム３２は、制御受信機データ１２６、例えば測定された信号特性５０、をコントローラシステム１４に報告し、コントローラシステム１４は、この情報を制御試験ログ１２２に記録する（図４及び６）。
【００６８】
依然として図１において、試験室２０は、外部の電波及び雑音から無線デバイス１２を隔離する環境を提供する。さらに、試験室２０は、反射された電波信号による干渉を低減させる環境を提供し、従って無反響室を具備することができる。例えば、試験室２０は、無線デバイス１２の周囲においてエンクロージャを形成する複数の壁１５０を含む。壁１５０の内部を向いている側は、波吸収材１５２、例えば、電波及び雑音を吸収及び散逸させるための複数の円錐形突起部を有する発泡材、を含む。さらに、試験室２０内の例えばポジショニングアセンブリ１３８等のいずれの構成要素も、電波の反射を低減させるための１つ以上の表面上の吸収材１５２を含むことができる。従って、試験室２０は、外部環境からの無線周波数（“ＲＦ”）の隔離を提供し、商業無線ネットワークに対する干渉又は商業無線ネットワークによる干渉等の干渉なしでローカルの無線業者によって用いられる周波数と同じ周波数での放射試験を実施することを可能にする。
【００６９】
図７に関して、一実施形態においては、無線デバイスの放射性能特性を決定するために該無線デバイスにおいて動作可能な方法は、放射性能試験モジュールを受信すること及びローディングすることを具備する（ブロック１６０）。例えば、無線デバイス１２は、有線又は無線による接続を介して放射性能試験モジュール４０を受信及びローディングすることができる。
【００７０】
さらに、前記方法は、予め決められた放射性能試験と関連づけられた試験コンフィギュレーションを受信することをさらに含むことができる（ブロック１６２）。例えば、無線デバイス１２は、所定の放射性能試験を実施中にロギングするパラメータ７８及び利用する変数８０を識別するデバイス試験コンフィギュレーション７６を受信することができる。
【００７１】
さらに、前記方法は、所定の放射性能試験を受信された試験コンフィギュレーションに基づいて実施することをさらに含むことができる（ブロック１６４）。所定の放射性能試験の実施は、幾つかの動作、例えば、予め決められた放射性能試験によって定義された複数の位置の各々において、受信された試験コンフィギュレーションに基づいて電波信号を受信すること（ブロック１６６）、電波信号を送信すること（ブロック１６８）、及び／又は測定された及び／又は基準の信号特性及び同期化データをロギングすること（ブロック１７０）、を含むことができる。例えば、無線デバイス１２の受信された能力を試験時には、放射性能試験モジュール４０は、受信機データ８２、例えば測定された信号特性３８、をデバイス試験コンフィギュレーション７６に基づいて記録する。同様に、放射性能試験モジュール４０は、所定の放射性能試験２４のパラメータに基づいて信号４６を送信すること及びその関連する基準信号特性４８をロギングすることができる。
【００７２】
ローカル解析（ブロック１７２）を含む実施形態においては、前記方法は、所定の放射性能試験と関連する解析プロトコルを受信及びローディングすることを含む（ブロック１７４）。例えば、放射性能試験モジュール４０は、デバイス試験ログ８６内の記録されたログ情報に適用するための解析プロトコル９０を受信することができる。さらに、この実施形態は、ロギングされた測定された及び／又は基準の信号特性及び同期化データを解析すること（ブロック１７６）と、前記解析プロトコルに基づいて放射性能特性を生成すること（ブロック１７８）、とを含む。例えば、放射性能試験モジュール４０は、デバイス試験ログ４２内に記録された予め決められたパラメータを解析するために解析プロトコル９０を実行する。この解析結果は、放射性能特性４２を生成する。
【００７３】
代替として、リモート解析（ブロック１７２）を備えた実施形態においては、前記方法は、他のデバイスによって解析できるようにログレコードを転送することを含む（ブロック１８０）。例えば、放射性能試験モジュール４０は、さらなる解析のためにデバイス試験ログ８６をコントローラシステム１４に転送する。
【００７４】
図８に関して、他の実施形態においては、無線デバイスの放射性能特性を決定するための装置において動作可能な方法は、放射性能アプリケーションを受信及びローディングすることを含む（ブロック１８２）。例えば、コントローラシステム１４は、１つ以上の放射性能試験を有する放射試験マネージャモジュール４４を受信及びローディングすることができる。
【００７５】
さらに、前記方法は、予め決められた放射性能試験を実施することを含む（ブロック１８４）。例えば、放射試験マネージャモジュール４４は、予め決められた放射性能試験２４を実施することができる。予め決められた放射性能試験の実施は、幾つかの動作、例えば、予め決められた試験に基づいてその他のシステム構成要素に制御信号を送信することを含むことができる（ブロック１８６）。例えば、所定の性能試験２４と関連する複数の位置１１０の各々において、放射試験マネージャモジュール４４は、ポジショニングシステム２８の動きを通じて無線デバイス１２の位置を変えるポジショニング成分２６を有する制御信号１６を発生させることができる。無線デバイス１２に信号を送信することを含む実施形態においては、制御信号を送信する動作は、信号１８の発生を開始するためにシグナリング成分３０を無線信号システム３２に送信することをさらに含むことができる。さらに、例えば、予め決められた放射性能試験を実施する動作は、予め決められた基準の及び／又は測定された信号特性及び同期化データをロギングすることをさらに含むことができる（ブロック１８８）。例えば、放射試験マネージャモジュール４４は、制御受信機データ１２６及び／又は制御送信機データ１２８を制御試験ログ１２２に記録することができる。
【００７６】
ローカル解析（ブロック１９０）を含む実施形態においては、前記方法は、測定された特性及び同期化データのレコードを無線デバイスから受信することを含む（ブロック１９２）。例えば、放射試験マネージャモジュール４４は、デバイス試験ログ８６を無線デバイス１２から受信する。前記受信されたログが位置情報と同期化された測定信号特性を含む場合は（ブロック１９４）、前記方法は、前記受信されたログを予め決められた解析プロトコルに基づいて解析すること（ブロック１９６）及び放射性能特性を生成すること（ブロック１９８）を含む。例えば、性能アナライザモジュール１３０は、放射性能特性４２を決定するために解析プロトコル９０を用いてデバイス試験ログ８６を解析することができる。代替として、前記受信されたログが同期化されていない場合は（ブロック１９４）、前記方法は、前記受信ログ情報をローカルログ情報と同期化させて同期化されたデータログを生成することを含む（ブロック２００）。例えば、性能アナライザモジュール１３０は、各ログ内に含められている同期化情報をマッチングさせることによってデバイス試験ログ８６を制御試験ログ１２２と結合させるために同期化論理１３２を実行することができる。この場合は、同期化されたデータログ１３４がいったん生成された時点で、前記方法は、予め決められた解析プロトコルを介しての同期化情報の解析（ブロック１９６）及び放射性能特性４２の生成（ブロック１９８）を続けることができる。
【００７７】
代替として、リモート解析（ブロック１９０）、例えば無線デバイス１２における解析、を含む実施形態においては、前記方法は、予め決められた放射試験と関連する解析プロトコルを他のデバイスに送信することを含むことができる（ブロック１９８）。例えば、デバイス試験コンフィギュレーション７６の一部としてまだ含められていない場合は、放射試験マネージャモジュール４４は、例えば信号１８を通じて解析プロトコルを無線デバイス１２に送信することができる。オプションとして、前記方法のこの実施形態は、放射性能特性を他のデバイスから受信するのを含むことができる（ブロック２００）。例えば、放射試験マネージャモジュール４４は、無線デバイス１２がアナライザモジュール８８を含む場合は、前記無線デバイスから放射性能特性４２を受信することができる。
【００７８】
特に、上記において強調されている１つの制限しない例においては、説明されている実施形態は、携帯電話放射アンテナ／受信機試験、例えば、（１）総等方感度（ＴＩＳ）試験、（２）総放射電力（ＴＲＰ）試験、及び（３）アンテナパターン相関（ｒｈｏ）試験に関して利用することができる。
【００７９】
これらの３つの放射試験はすべて、垂直及び水平の両偏波に関するアンテナ利得の球形測定を要求する。ＴＩＳ試験ではアンテナ受信利得パターンの測定が本質的であるが、伝統的には受信機感度を通じて間接的に行われている。ＴＲＰ試験は、アンテナの送信利得の測定に依存する。アンテナパターン相関試験は、又はアンテナｒｈｏ試験は、２本以上のアンテナの振幅と位相を含む複素電圧受信（“ＲＸ”）利得を同時に測定する必要がある。物理的な球形利得測定手順は、本質的には全試験に関して同じである。すなわち、電話機が、最も一般的には一連の大円切断（Ｇｒｅａｔ  Ｃｉｒｃｌｅ  ｃｕｔｓ）（仰角切断）において球体の回りを物理的に回転されるのに合わせて送信機と受信機の間における損失を測定する。各試験間における相違点は、送信機及び受信機の性質と位置である。
【００８０】
ＴＩＳ試験及びアンテナパターン相関試験の場合は、送信機、典型的には通信シミュレータモジュール１４２等のセルサイトシミュレータが、レンジ指向性アンテナ、例えばホーンアンテナ１４４、に接続され、受信機は試験対象アンテナに接続される。この場合は、受信機は受信機モジュール７０であり、試験対象アンテナは無線デバイス１２のアンテナシステム７２である。ＴＲＰ試験の場合は、無線デバイス１２は送信機として機能し、受信機は、レンジアンテナ１４４に接続されたＲＦ電力計である。
【００８１】
これらの試験においては、無線デバイス１２の受信機モジュール７０は、ＲＸに基づく試験（ＲＸ利得、アンテナＲｈｏ）に関する必要な測定を行う。説明される実施形態は、無線デバイス１２の受信機モジュール７０を用いることによって、幾つかの利点、例えば、無線デバイス１２を改修する必要がないための時間の節約、及び、潜在的には、先行技術における無線デバイス１２の改修及び先行技術における外部装置とケーブルの使用はアンテナの利得パターンを変化させる可能性があることによる先行技術よりも正確な結果、等を提供する。
【００８２】
さらに、放射性能試験モジュール４０は、処理サブシステム６４とのＡＰＩ ６２インタフェースを介しての、受信機データ８２、例えば各レークフィンガーからのＲＸ＿ＡＧＣ（受信電力）及びパイロットＩ／Ｑ推定値、へのアクセスを提供する。さらに、放射性能試験モジュール４０は、データレポジトリ５８内のデバイス試験ログ７４に受信機データ８２をロギングする。このアプローチ法は、ケーブルを取り付けない状態で無線デバイス１２を試験することができるという利点を提供する。この時点において、無線デバイス１２は、試験装置及びデータロガーの両方になる。このことは、無線デバイス１２をより代表的な状態（ケーブルのない状態）で評価するよりクリーンな試験装置構成を提供し、時間の節約も同様に達成させることができる。
【００８３】
さらに、上記の試験装置構成は、必要な全試験データを単一の場所、すなわち１つの無線デバイス１２においてロギングするのを可能にする。例えば、システム１０の場合は、各電力測定時に位置コントローラ１３６に位置情報を問い合わせることができる。この位置情報、又はこの位置情報に対応する何らかのデータ（例えば時間）は、試験中に無線デバイス１２に伝達され、このため、必要な全試験データを無線デバイス１２においてロギングすることが可能である。このことは、無線デバイス１２が受信機パラメータを用いて同期的に位置情報をロギングするのを可能にし、このため電力対位置レコードを動作中に収集することが可能である。代替として、コントローラシステム１４は、位置情報と時間、又は位置情報と対応していて無線デバイス１２と同期化することができるその他の何らかの変数を記録することができる。同時に、無線デバイス１２は、測定されたデータパラメータ及び時間（又はその他の同期化データ）を記録する。この代替においては、無線デバイス１２は、ログをコントローラシステム１４に送信することができ、コントローラシステム１４は、時間、又はその他の同期化データを介して位置情報を測定されたデータパラメータと同期化させることができる。例えば、位置情報、又は少なくとも同期化データ３６は、アクティブトラフィックチャネルにおいて開いているデータソケット、例えばＳＩＤ、ネットワーク識別（“ＮＩＤ”）等の順方向リンクオーバーヘッドチャネルメッセージ、内の１つ以上の未使用フィールドでの符号化、又はシステムパラメータメッセージ内の基地局緯度と経度を介して無線デバイス１２に送信することができ、データは、補助チャネル、例えばＢｌｕｅｔｏｏｔｈ（登録商標）又は８０２．１１周波数チャネルを通じて通信することが可能である。
【００８４】
ＴＩＳ試験は、アンテナと電話機の電子機器の相互作用、例えば、アンテナモジュールに結合することができる電話機電子機器によって放射された不要な雑音からのジャミング効果、を考慮する。特に、ＴＩＳ試験に関しては、ＣＤＭＡ受信機感度測定は、受信信号の品質が劣化し始めるトラフィックチャネル電力、具体的には、フレーム誤り率（ＦＥＲ）が０．５％になる時点、を見つけ出すことを含む。しかしながら、所定のシナリオに依存してその他のＦＥＲしきい値を指定可能であることに注目すべきである。さらに、その他のしきい値パラメータを利用可能であることにも注目すべきである。例えば、移動体通信（“ＧＳＭ”）技術に関するグローバルシステムを利用することで、前記しきい値パラメータはビット誤り率（“ＢＥＲ”）であることができる。しかしながら、ＣＤＭＡの場合は、Cellular Telecommunications & Internet Association（“ＣＴＩＡ”）（セルラー遠距離通信・インターネット協会）によって規定されたＴＩＳ試験手順は、シータ（仰角）軸及びファイ（方位角）軸において３０°ごとに放射感度測定を行うように指図している。繰り返しになるが、シナリオに依存して、その他の予め決められた位置を利用することができる。シータ＝０°及び１８０°の点を除き、この先行技術は、各偏波に関して６０の個々の感度測定を要求し、これらの感度測定が球体全体にわたって統合されてＴＩＳ評価基準が生成される。各位置における感度点の識別は漸進的に繰り返されるプロセスであって、これまでは手作業で行われてきているため、この試験は膨大な時間が費やされる試験である。
【００８５】
しかしながら、説明される実施形態は、ＴＩＳ試験を実施することができる速度を加速させることを備えている。球体周囲の放射感度は、アンテナＲＸ利得の変動のみの結果として変動する。リンク内のその他のすべての要因は一定である。従って、アンテナのＲＸ利得パターンが既知である場合は、単一の基準点、好ましいことに最大アンテナ利得点のみにおいて感度測定が要求される。従って、球体上のその他の点（θ，φ）における放射感度Ｓｅｎｓは、次式によって表すことができる。
【数１】
2008518567.tif 000003
【００８６】
ここで、Sense(θ,φ)は、球座標(θ,φ)における放射感度で、単位はdBmであり、GRX(θ,φ)は、球座標(θ,φ)におけるＲＸアンテナ利得で、単位はdBであり、(θ0,φ0)は、基準感度測定座標、すなわち、好ましいことに最大利得位置における感度である。
【００８７】
先行技術においては、前述されるように先行技術のデバイスはGRX(θ,φ)を測定するために破壊的に変更されるため、このアプローチ法は非実際的である。しかしながら、無線デバイス１２の受信機モジュール７０によって受信電力測定が行われるため、説明される実施形態はGRX(θ,φ)を非破壊的に決定するのを可能にする。従って、１つの特定の実施形態においては、各偏波（水平及び垂直）に関する以下の加速方法を利用することができる。
【００８８】
（１）放射性能試験モジュール４０を実行し、予め決められた複数の位置、例えば、この場合は球体の形状を定義する(θ,φ)に関して３０°ずつ増やした位置において（θ＝０°及び１８０°を除く）、GRX(θ,φ)を測定及びロギングする。
【００８９】
（２）ＧＲＸが最大である位置(θ0,φ0)を特定する。
【００９０】
（３）位置(θ0,φ0)において単一の放射感度試験を実施する。すなわち、予め決められたしきいＦＥＲに達するまでＦＥＲ（ＧＳＭに基づくデバイスの場合はＢＥＲ）をモニタリングしながら送信電力を無線デバイスまでランプダウンさせ、Sens(θ0,φ0)を決定する。
【００９１】
（４）予め決められた位置の組全体、例えば上述される球形位置、に上式１を当てはめて、各予め決められた位置に関するSens(θ,φ)を決定する。
【００９２】
（５）無線デバイスに関するＴＩＣ評価基準を決定するために予め決められた位置の形状全体にわたる計算されたSens(θ,φ)を統合する。
【００９３】
換言すると、ＴＩＳは、「放射感度パターン」EISv(θ,φ)及びEISh(θ,φ)を要求し、ここで、EISv又はh（実効等方感度）は、所定のＢＥＲ又はＦＥＲしきい値に関する所定の測定角度(θ,φ)での放射受信機感度である。しかしながら、試験室内においては、試験電話機がアンテナパターンヌルの方に回転されたときには呼が落ちることがしばしばある（例えば、受信信号レベルが電話の雑音レベルよりも低くなる可能性がある）ため、これらの値は直接測定するのが困難である。この問題を回避するため、受信パターンは、呼が落ちるのを回避する上で十分に高い受信電力レベルで測定され、その後に測定された感度値によってスケーリングされてEISv(θ,φ)及びEISh(θ,φ)パターンが導き出される。例えば、一実施形態においては、試験室経路損は、電話機のノイズフロア上方において３０ｄＢとほぼ等しいか又は３０ｄＢよりも大きい既知の電力レベルが試験電話機上に入射するように構成される（例えば、典型的な電話機の場合は電話機試験場所において約−７０ｄＢであるのが良い数字である）。しかしながら、所定の試験シナリオに依存してその他のｄＢ値を利用可能であることに注目すべきである。アンテナ利得パターン(Gv(θ,φ)、Gh(θ,φ)))は、基準電力レベル（この場合は−７０ｄＢｍ）を（通常は電話機のＲＦ試験ポートを介して）直接受信機内に「注入」時に電話機によって報告される受信信号強度指示（“ＲＳＳＩ”）値、すなわち測定された電力、に合わせて正規化することによって上記の測定されたパターンデータから導き出される。この値は、所定の測定角度でのアンテナ利得が０ｄＢｉであり、電話機での入射電力が−７０ｄＢｍであるときに電話機が報告する値である。この値からの逸脱は、受信アンテナ利得を示す。
【００９４】
次に、ピーク放射受信機感度Peak EIS(θpk,φpk)が無反響室において入射角(θ,φ)で及び試験室ホーン偏波（垂直ｖ又は水平ｈ）に関して測定され、その結果ピークアンテナ利得が得られる。ＥＩＳパターンは、アンテナ利得パターンを次式のようにピークＥＩＳ値で正規化することによって得られる。
【数２】
2008518567.tif 000004
【００９５】
EISv(θ,φ)及びEISh(θ,φ)パターンが知られた時点で、１つの球体の試験角度全体にわたるパターンの空間平均を求めることによってＴＩＳ評価基準が得られる。
【数３】
2008518567.tif 000005
【００９６】
この技術は、１００％無線デバイス１２において、１００％制御システム１４において、又はその何らかの組合せにおいて計算が行われることを考慮している。例えば、無線デバイス１２は、同期化データ２６、例えば位置情報、又は同期化データ２６、例えば時間情報１１４を受信時にコントローラシステム１４からの同期化データ２６対位置情報のログと組み合わせて独立して決定を行うことが可能である。無線デバイス１２は、ポジショニングシステム２８の方位変更及びプロトコルの感度試験部分の開始のためにGRX(θ0,φ0)を決定して位置(θ0,φ0)をコントローラシステム１４に送信することができる。これで、無線デバイス１２は、要求されるSens(θ,φ)を計算し、積分を行ってＴＩＳ評価基準を決定することができ、前記ＴＩＳ評価基準は、格納すること及び／又はコントローラシステム１４に送信することができる。
【００９７】
代替として、無線デバイス１２におけるデータ収集は、後処理してGRX(θ,φ)及びGRX(θ0,φ0)を決定するためにデバイス試験ログ８６を無線デバイス１２から例えばコントローラシステム１４にオフローディングするのを可能にするためにステップ１及び２の後に中断することができる。例えば、ログ８６は、測定データ対同期化データのレコードを含む。この時点において、コントローラシステム１４は、放射感度試験のために無線デバイスを位置(θ0,φ0)に位置決めするための制御信号１６を送信することができる。同様に、無線デバイス１２は、最大利得位置における一組の感度測定値を記録後に、又はSense(θ0,φ0)を決定後に、デバイス試験ログ８６をオフローディングすることができる。これで、コントローラシステム１４は、すべての位置において式１を適用する及び／又は球体全体において積分を行い、それによってＴＩＳ評価基準を決定することができる。
【００９８】
さらに、ステップ１は、ＲＸ＿ＡＧＣがアクティブであるため無線デバイス１２をアイドルモードの状態にして実施することができる。有利なことに、この技術は、試験継続時間中にトラフィックコールを維持する必要性を排除する。ただし、ＦＥＲはトラフィックデータフレームのみに関して定義することができるため、無線デバイス１２はステップ３のための呼の状態であることができることに注目すべきである。
【００９９】
一実施形態においては、上記の感度試験は、手動で行われる。すなわち、セルサイトシミュレータにおける順方向リンク送信電力は、無線デバイス１２の目標ＦＥＲに達するように手動で調整される。上述されるように、説明される実施形態は、感度試験の自動化機能を備える。例えば、コントローラシステム１４は、無線デバイス１２との呼を確立し、制御試験ログ１２２において電力対時間のレコードを維持しつつ順方向リンク電力を徐々にランプダウンさせる。同時に、放射性能試験マネージャモジュール４０は、デバイス試験ログ８６を受信し、同期化論理１３２を実行して各ログ１２２及び８６内の記録時間と関連する測定を同期化させ、それによってＦＥＲ対電力のレコードを含む同期化ログ１３４を生成する。このＦＥＲ対電力レコードに基づき、性能アナライザモジュール１３０は、０．５％ＦＥＲ点を決定することができる。
【０１００】
他の代替においては、順方向送信電力が順方向リンクを通じて無線デバイス１２に通信される場合は、必要な全データを無線デバイス１２にロギングすることができる。この場合は、放射性能試験モジュール４０は、０．５％ＦＥＲ点を決定するためにアナライザモジュール８８を実行する。従って、無線デバイス１２においてロギングを統合することは、有利なことに、コントローラシステム１４及び無線デバイス１２からのそれぞれのログ１２２及び８６のオフラインでの同期化の必要性を排除する。
【０１０１】
ＴＲＰに関して、ＴＲＰ試験は、無線デバイス１２の送信チェーン性能試験である。この試験の場合は、無線デバイス１２は、全電力で送信するようにデバイス試験コンフィギュレーション７６を介して構成することができる。例えば、ＣＤＭＡデバイスにおいては、このコンフィギュレーションは、トラフィックコールが維持されている間に「オールアップ」電力制御ビットを送信するようにセルサイトシミュレータに指図することによって最もしばしば達成される。無線デバイス１２から受信された電力は、アンテナレンジ指向性（ホーン）アンテナ１４４に取り付けられた電力計１４８によって測定される。
【０１０２】
ＣＴＩＡによって規定されたＴＲＰ試験手順は、各偏波に関してシータ（仰角）軸及びファイ（方位角）軸において１５°ごとに電力測定を行うように指図している。シータ＝０°及び１８０°の点を除き、この先行技術は、各偏波に関して２６４の個々のデータポイントを要求し、その後にこれらのデータポイントが球体全体にわたって積分されてＴＩＳ測定基準が生成される。測定が希望される地点の重複に起因して、説明される実施形態は、ＴＲＰ試験がＴＩＳ試験と同時に行われることを可能にし、それによって大幅な時間の節約を提供する。
【０１０３】
代替として、全電力での動作のために無線デバイス１２をコンフィギュレーションする他の方法は、工場試験モード（ＦＴＭ）にすることによって手動でデジタル送信利得を設定する方法である。このコンフィギュレーションにおいては、ＴＲＰ試験は、ＴＩＳ試験に関して上述されるアイドルモードＲＸ利得決定と同時に行うことができ、それによって時間を節約することが可能である。
【０１０４】
換言すると、ＴＲＰ評価基準は、次式によって決定することができる。
【数４】
2008518567.tif 000006
【０１０５】
ここで、EIRPv(θ,φ)は、垂直偏波に関する実効等方放射電力であり、EIRPh(θ,φ)は、水平偏波に関する実効等方放射電力であり、送信利得パターンGv又はh(θ,φ)から次式のように決定することができる。
【数５】
2008518567.tif 000007
【０１０６】
ここで、MaxPAOutは、各試験周波数における電力増幅器からの最大電力、すなわち送信機モジュール６８からの最大電力である。
【０１０７】
ピーク実効放射電力PeakEIRPは、EIRPパターンの最大値である。
【数６】
2008518567.tif 000008
【０１０８】
PeakEIRPは、規制当局による無線デバイス放射性能認定、すなわち、ＳＡＲ、クラスレベル認定、放射エミッション、のために必要になる場合がある。
【０１０９】
さらに、他の送信モード放射性能特性は、アンテナ効率ηである。
【数７】
2008518567.tif 000009
【０１１０】
上式は、ＴＲＰをアンテナ利得パターンから導き出すのと同様の方法で導き出される。
【０１１１】
パターン包絡線相関Ρeは、移動環境におけるデュアルアンテナ、デュアル受信機電話のダイバーシティ利得の可能性について評価する。ｒｈｏ試験は、複素利得の測定に基づいてフェージング相関を決定する。一次アンテナ及び二次アンテナに関する測定された複素Ｒｘパターン（例えば、後述されるEθ1、Eφ1、Eθ2、Eφ2）は、前記アンテナの対における入射界モデルの結果得られる包絡線相関を推定するために用いることができる。
【０１１２】
受信機ダイバーシティが現世代の移動局モデム（“ＭＳＭ”）ＡＳＩＣにおける１つの利用可能な特長として登場したことに伴い、多アンテナシステムが界内においてどのような性能を示すかを予測するための放射試験の必要性が高まっている。ＭＩＭＯデバイスは、前記のような試験による恩恵も受けることになる。デュアルアンテナデバイスに関する１つの極めて重要な設計パラメータは、アンテナ間の相関関係である。デュアル受信チェーンにおいて高度な相関関係を有する信号を生成するアンテナの対は、受信ダイバーシティに関してはほとんど役立たない。説明される実施形態は、フェージング相関とも呼ばれる包絡線相関を、デュアルアンテナシステムにおけるダイバーシティ利得予測因子として利用する。
【０１１３】
包絡線相関は、一対のアンテナの複素電圧利得パターン及び仮定された入射ＲＦ界から予測することが可能である。複素アンテナ利得パターンは、その他の受信利得測定と同様に、伝統的にケーブル付き試験を用いて測定されている。商業無線デバイスの場合は、この方法は、外部コネクタを取り付けるためにデバイスの破壊的改修を要求する。しかしながら、説明される実施形態は、破壊的改修の代わりに、無線デバイス１２の受信機モジュール７０の構成要素を利用する。例えば、携帯電話の場合は、ＣＤＭＡレーク受信機機能は、パイロットチャネルの正確な位相推定値を要求する。アクティブなパイロットチャネルをセルサイトシミュレータ、例えばシミュレータ１４２から提供することによって、及び、ＲＸ＿ＡＧＣデータパケットにおける場合のように各受信チェーン／アンテナからの受信電力を放射性能試験モジュール４０にロギングさせ、さらにＲＸ＿パイロットフィンガーデータパケットにおける場合のように電話機が球体の周囲を回転させられるのに応じたレーク受信機からの同相／直交位相（Ｉ／Ｑ）パイロット推定値を放射性能試験モジュール４０にロギングさせることによって、複素利得パターンを１００％無線デバイス１２において生成することができる。このことは、ハンドセットの破壊的な改修を要求しない。
【０１１４】
上述される受信機利得パターンと同様に、位置／角度情報がデータ収集中に例えば順方向リンクを通じて無線で無線デバイス１２に送信される場合は、すべてのロギングを無線デバイス１２において統合することができる。
【０１１５】
無線デバイス１２がアイドルモードにおいて受信機ダイバーシティを正確に実装しない場合は、無線デバイス１２をトラフィックコール状態にして多アンテナ複素パターン決定を行うことができる。
【０１１６】
特に、説明される実施形態は、移動環境における包絡線フェージング相関ρeを、試験室２０内の無線デバイス１２の一対のアンテナからの測定された複素放射パターンから推定するための装置及び方法を含む。
【０１１７】
複素アンテナ界パターンEm(θ,φ)を有するk番目の電磁平面波（線）Fkm(θ,φ)に起因して(θ,φ)においてm番目のアンテナ素子に入射する複素電圧Ｖは、次式によって与えることができる。
【数８】
2008518567.tif 000010
【０１１８】
次に、このアンテナ素子における総複素アンテナ界パターンの分散
【数８】
2008518567.tif 000011
【０１１９】
は、次式のとおりである。
【数１０】
2008518567.tif 000012
【０１２０】
ここで、ランダムドライブ経路に沿った場合に見られるような代表的なＲＦ環境において、Ρθ及びΡφは、θ（垂直偏波）方向及びφ（水平偏波）方向における入射界角電力密度関数を表し、ΡV及びΡHは、θ（垂直偏波）方向及びφ（水平偏波）方向における平均入射電力を表す定数である。
【０１２１】
アンテナ１及び２に関して、これらの２本のアンテナからの受信信号間における相互共分散
【数１１】
2008518567.tif 000013
【０１２２】
は、次式のとおりである。
【数１２】
2008518567.tif 000014
【０１２３】
ここで、XPR = Pv / PHであり、*は、複素共役を表す。
【０１２４】
これらの２つの信号分散及び相互共分散から、包絡線相関係数は次式によって与えられる。
【数１３】
2008518567.tif 000015
【０１２５】
デュアルアンテナを有するアンテナシステム７２を備えた無線デバイス１２に関して４πステラジアンを網羅する視界にわたる個別の角度で測定された複素アンテナパターンEθ1、Eφ1、Eθ2、Eφ2は、前式においては、次式のようにρeを計算するために用いることができる。
【数１４】
2008518567.tif 000016
【０１２６】
ここで、Ｒは、アンテナ１とアンテナ２の間の相互共分散に関連しており、ｉ、ｊは、測定されたサンプルの角位置に関連するインデックスであり、Nθは、θ角度数を表し、Nφは、φ角度数を表す。
【０１２７】
これで、包絡線相関ρeは以下のとおりである。
【数１５】
2008518567.tif 000017
【０１２８】
これらの計算において、XRP（入射界の偏波比）に関する値及びΡθ及びΡφ関数の形は、ＲＦ環境（例えば、都市部、郊外、農村部、高速道路、等）に依存する。
【０１２９】
一例として、方位角において一様な拡散及び仰角においてガウス拡散を有するチャネルモデルに関するΡθ及びΡφに関する式は、以下のように与えられる。
【数１６】
2008518567.tif 000018
【０１３０】
ここで、Av及びAhは、球体全体にわたって積分時にΡθ及びΡφ = 1になるような正規化定数であり、mv、mhは、各々のθ、φ偏波外界の平均到着角度であり、一実施形態においてはmv = 5°及びmh = 10°の典型値を有する。σθ、σφは、各々のθ、φ偏波外界の角度拡散であり、一実施形態においてはσθ= 15°及びσφ = 30°の典型値を有する。
【０１３１】
しかしながら、その他の式も可能であることに注目すべきである。
【０１３２】
デュアルアンテナを有する幾つかの実物大電話機模型が製造された。複素パターンが測定され、フェージング相関が各試験事例に関するパターンから計算された。結果的に得られたρ値は、０．０５乃至０．９８の範囲であった。 さらに、同じ実物大電話機模型を用いて、典型的屋内環境において各アンテナによって受信される信号間の相関関係が測定された。これらの試験は、ローカルのＰＣＳサービスプロバイダによって網羅される地域において実施された。
【０１３３】
特に、図７に関して、試験室２０内での測定による測定された「パターン」相関結果は、生の界測定による値よりも好ましいように思われた。例えば、グラフ７００は、スプリッタに接続されて見通し線外（“ＮＬＯＳ”）状態（屋内）で測定される単一のダイポールアンテナを有する電話機７０６、近見通し線（“ＬＯＳ”）状態で屋上において測定された０．０５λ分離を有する２対のダイポールアンテナを有する電話機７０８、ＮＬＯＳ状態で測定された０．０５λ分離を有する２対のダイポールアンテナを有する電話機７１０、ＮＬＯＳ状態で測定される１本の外部アンテナ及び１本の内部アンテナを有するクラムシェル電話機７１２、ＮＬＯＳ状態で測定される１本の外部アンテナ及び１本の内部アンテナを有するクラムシェル電話機７１４、ＮＬＯＳ状態で測定されるデュアルスタビー外部アンテナを有する電話機７１６、及び、ＮＬＯＳ状態で測定されるスタビー外部アンテナと内部アンテナを有する電話機７１８に関する、測定されたパターンρ値に対応する横軸及び界ρ値に対応する縦軸７０４を含む。従って、グラフ７００は、パターン及び界データから計算されたρが広い範囲のρ値に関して互いの上にほぼ横たわることを示している。
【０１３４】
測定されたパターンρと界ρとの間の相関関係に起因して、これらの結果は、説明された実施形態により、デュアルアンテナダイバーシティによってイネーブルにされた無線デバイスのダイバーシティ性能を広範な界試験に依らずに評価するための実験を行うことができることを確認するものである。
【０１３５】
さらに、図８に関して、テーブル８００は、実証用電話機からの測定された放射パターンを用いて異なるチャネルモデル８０４に関して計算されたρ８０２例を含む。この場合は、チャネルモデル８０４は、外部基地トランシーバ局、都市部ミクロセル、都市部マクロセル、及び高速道路マクロセルを有する屋内環境を含む。さらに、各チャネルモデル８０４は、異なる一組の変数８０６を含む。この場合は、例えば、変数８０６は、偏波ｍ、角拡散σ、及び偏波比XPRを含む。チャネルモデルに関して用いられる統計値は、本明細書において参照されることによって本明細書に組み入れられている“Angular Power Distribution and Mean Effective Gain of Mobile Antennas In Different Propagation Environments”（異なる伝搬環境における移動アンテナの角配電及び平均実効利得）, IEEE Transactions on Vehicular Technology, Vol. 51, No. 5, Sept. 2202においてカリオラ、等によって行われた測定からの統計値であることに注目すべきである。これらの計算結果に基づき、説明される装置及び方法は、ダイバーシティによってイネーブルにされる無線デバイスのダイバーシティ性能の特性を表すために移動環境におけるデュアルアンテナ間のフェージング相関を推定するために複素放射パターンを用いる強固なアプローチ法を提供する。
【０１３６】
従って、説明される実施形態においては、無線デバイスにケーブルが取り付けられず、前記デバイスが自己の測定値を同期データとともに常駐メモリに記録する単一の試験中に、無線デバイスに関する１つ以上の予め決められた放射性能特性を決定することができる。例えば、放射性能特性は、ＴＩＳ値と、ＴＲＰ値と、包絡線相関ρeと、を含むことができる。次に、無線デバイスの放射性能の受入可能性、承認、及び／又は認定を決定するために、本明細書において説明される測定に基づいた放射性能特性計算値を、例えばネットワークキャリヤ、メーカー又は基準設定機関によって設定される幾つかの予め決められたしきい値と比較することができる。
【０１３７】
上記の開示は、例としての実施形態を示す一方で、添付された請求項によって定義される説明される実施形態の適用範囲から逸脱せずに様々な変更及び改修を行うことが可能であることに注目すべきである。さらに、説明される実施形態の諸要素は、単数形で表すこと又は請求することができるが、単数形に限定されることが明示されていない限り複数形が意図される。
【図面の簡単な説明】
【０１３８】
【図１】無線デバイスの放射性能を決定するためのシステムの一実施形態の概略図である。
【図２】図１のシステムにおいて用いられる無線デバイスの一実施形態の概略図である。
【図３】図１の無線デバイスにおいて動作可能なユーザーインタフェース／ビューの一実施形態の概略図である。
【図４】図１のシステムにおいて用いられるコントローラシステムの一実施形態の概略図である。
【図５】図１の無線デバイス及び／又はコントローラシステムによって用いられる予め決められた放射性能試験の構成要素の一実施形態の概略図である。
【図６】図４のコントローラシステムと関連する制御試験ログの一実施形態の概略図である。
【図７】図１の無線デバイスの放射性能を決定するために無線デバイスにおいて動作可能な方法の一実施形態の流れ図である。
【図８】図１の無線デバイスの放射性能を決定するために装置、例えばコントローラシステム、において動作可能な方法の一実施形態の流れ図である。
【図９】説明される実施形態による、複素放射パターンから測定されたアンテナｒｈｏ値と幾つかの異なる型の電話機に関する界内で測定されたアンテナｒｈｏ値を比較したグラフを示した図である。
【図１０】異なる挙動を有する着信電磁界を表す幾つかの異なる環境またはチャネルモデルに関する、説明される実施形態による計算されたｒｈｏ値を含む表を示した図である。
【図１】
2008518567.tif 000019
【図２】
2008518567.tif 000020
【図３】
2008518567.tif 000021
【図４】
2008518567.tif 000022
【図５】
2008518567.tif 000023
【図６】
2008518567.tif 000024
【図７】
2008518567.tif 000025
【図８】
2008518567.tif 000026
【図９】
2008518567.tif 000027
【図１０】
2008518567.tif 000028
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
無線デバイスの放射性能特性を決定する方法であって、
予め決められた放射性能試験と関連づけられた複数の所定位置の各々において前記無線デバイスによって無線で受信された電波信号の測定された信号特性を決定することであって、前記電波信号は、各測定された信号特性に対応する基準信号特性をもち、前記電波信号はさらに、前記複数の所定位置の各１つに関する各位置に対応するとともに前記測定された信号特性の各々に対応する同期化データを含むことと、
前記測定された信号特性を前記無線デバイスの試験ログに記録することと、
前記無線デバイスの前記試験ログにおいて、前記各同期化データを記録すること、とを具備し、
前記測定された信号特性及び前記基準信号特性及び前記各同期化データは、前記無線デバイスの前記放射性能特性を決定する、方法。
【請求項２】
前記測定された信号特性及び前記同期化データに基づいて、前記複数の所定位置に関連する各予め決められた位置に対応する前記放射性能特性を、所定の解析プロトコルに従って生成することをさらに具備する請求項１に記載の方法。
【請求項３】
前記測定された信号特性を決定する前記動作は、前記無線デバイスに配置された受信機モジュールを用いて前記受信信号を測定することをさらに具備する請求項１に記載の方法。
【請求項４】
予め決められた解析プロトコルを前記測定された信号特性及び前記同期化データに適用して前記放射性能特性を生成することをさらに具備する請求項１に記載の方法。
【請求項５】
前記測定された信号特性は、利得値を具備し、予め決められた解析プロトコルを適用する前記動作は、前記利得値のうちの最大値及び対応する最大利得位置を決定することと、前記最大利得位置における最高放射感度を決定することと、前記最高放射感度に基づいて前記無線デバイスの総放射感度を決定すること、とをさらに具備する請求項４に記載の方法。
【請求項６】
前記測定された信号特性は、放射電力値を具備し、予め決められた解析プロトコルを適用する前記動作は、前記複数の位置の各々に関する最大放射電力値を決定することと、前記最大放射電力値に基づいて前記無線デバイスに関する総放射電力評価基準を決定すること、とをさらに具備する請求項４に記載の方法。
【請求項７】
前記測定された信号特性は、前記無線デバイスの第１のアンテナモジュール及び第２のアンテナモジュールの各々に関する複素電圧値を具備し、予め決められた解析プロトコルを適用する前記動作は、前記複数の位置の少なくとも一部分において前記複素電圧値に基づいて包絡線相関係数ρeを決定することをさらに具備する請求項４に記載の方法。
【請求項８】
前記複数の位置の一部分における第２の放射性能特性を決定する第２の放射性能試験を同時に実施することをさらに具備する請求項１に記載の方法。
【請求項９】
前記放射性能特性を決定するために前記記録された測定された信号特性及び前記対応する記録された各々の位置を他のデバイスに送信することをさらに具備する請求項１に記載の方法。
【請求項１０】
コンピュータによって読み取り可能な媒体内に常駐し、実行されたときに、予め決められた放射性能試験と関連づけられた複数の所定位置の各々において無線デバイスの受信機モジュールによって無線で受信された電波信号の測定された信号特性を決定する動作であって、前記電波信号は、各測定された信号特性に対応する基準信号特性をもち、前記電波信号はさらに、前記複数の所定位置の各１つに関する各位置に対応するととともにさらに前記測定された信号特性の各々に対応する同期化データを含む動作、前記測定された信号特性を前記無線デバイスの試験ログに記録する動作、前記無線デバイスの前記試験ログにおいて、前記各同期化データを記録する動作とを行うようにコンピュータデバイスに指示するコンピュータプログラムであって、前記測定された信号特性及び基準信号特性及び前記各同期化データは、前記無線デバイスの放射性能特性を決定する、コンピュータプログラム。
【請求項１１】
予め決められた放射性能試験と関連づけられた複数の所定位置の各々において無線デバイスの受信機モジュールによって無線で受信された電波信号の測定された信号特性を決定する手段であって、前記電波信号は、各測定された信号特性に対応する基準信号特性をもち、前記電波信号はさらに、前記複数の所定位置の各１つに関する各位置に対応するととともに前記測定された信号特性の各々に対応する同期化データを含む手段と、
前記測定された信号特性を前記無線デバイスの試験ログに記録する手段と、
前記無線デバイスの前記試験ログにおいて、前記各同期化データを記録する手段と、
を具備し、前記測定された信号特性及び前記基準信号特性及び前記各同期化データは、前記無線デバイスの放射性能特性を決定する、少なくとも１つのプロセッサ。
【請求項１２】
予め決められた放射性能試験と関連づけられた複数の所定位置の各々において無線で受信された電波信号に関する測定された信号特性を決定するための手段であって、前記電波信号は、各測定された信号特性に対応する基準信号特性をもち、前記電波信号はさらに、前記複数の所定位置の各１つに関する各位置に対応するととともに前記測定された信号特性の各々に対応する同期化データを含む手段と、
前記測定された信号特性を記録するための手段と、
前記各同期化データを記録するための手段と、を具備し、
前記測定された信号特性及び前記基準信号特性及び前記各同期化データは、前記無線デバイスの放射性能特性を決定する、無線デバイス。
【請求項１３】
無線デバイスであって、
予め決められた放射性能試験と関連づけられた複数の所定位置の各々において無線で電波信号を受信するために動作可能な受信機モジュールであって、前記電波信号は、前記受信機モジュールによって決定された測定された信号特性に対応する基準信号特性をもち、前記電波信号はさらに、前記複数の所定位置の各々に関する各々の位置に対応するとともに、前記測定された信号の各々に対応する同期化データを有する受信器モジュールと、
前記複数の所定位置の各々に対応する前記測定された信号特性及び前記同期化データを具備するデバイス試験ログを記憶するように動作するデータレポジトリと、を具備し、
前記測定された信号特性及び前記基準信号特性及び前記各同期化データは、前記無線デバイスの放射性能特性を決定する、無線デバイス。
【請求項１４】
前記測定された信号特性及び前記同期化データに基づいて、前記複数の位置と関連する予め決められた位置に対応する前記放射性能特性を所定の解析プロトコルにしたがって生成するために動作可能な性能アナライザモジュールをさらに具備する請求項１３に記載の無線デバイス。
【請求項１５】
前記受信機モジュールは、前記電波信号を処理して前記測定された信号特性を決定するために動作可能である請求項１３に記載の無線デバイス。
【請求項１６】
予め決められた解析プロトコルを有する性能アナライザモジュールをさらに具備し、前記性能アナライザモジュールは、前記放射性能特性を生成するために前記複数の位置の各々に関する前記測定された信号特性及び前記同期化データに前記予め決められた解析プロトコルを適用するために動作可能である請求項１３に記載の無線デバイス。
【請求項１７】
前記測定された信号特性は、利得値を具備し、前記予め決められた解析プロトコルは、前記無線デバイスの総放射感度を最高放射感度に基づいて決定するために動作可能であり、前記最高放射感度は、最大利得値を有する前記複数の位置の１つにおいて決定される請求項１６に記載の無線デバイス。
【請求項１８】
前記測定された信号特性は、放射電力値を具備し、前記予め決められた解析プロトコルは、前記無線デバイスに関する総放射電力評価基準を前記複数の位置の各々に関する最大放射電力値に基づいて決定するために動作可能である請求項１６に記載の無線デバイス。
【請求項１９】
前記受信機モジュールは、第１の受信チェーンを定義する第１の受信機モジュールと関連する第１のアンテナモジュールと、第２の受信チェーンを定義する第２の受信機モジュールと関連する第２のアンテナモジュールと、を具備し、前記測定された信号特性は、前記第１のアンテナモジュール及び前記第２のアンテナモジュールの各々に関する複素電圧値を具備し、前記予め決められた解析プロトコルは、前記第１の受信チェーンと前記第２の受信チェーンとの間の包絡線相関係数ρeを前記複素電圧値に基づいて決定するために動作可能である請求項１６に記載の無線デバイス。
【請求項２０】
前記複数の位置の一部分における第２の放射性能特性を決定する第２の放射性能試験を同時に実施するために動作可能な放射性能試験モジュールをさらに具備する請求項１３に記載の無線デバイス。
【請求項２１】
前記放射性能特性を決定するために前記記録された測定された信号特性及び前記対応する記録された各々の位置を他のデバイスに送信するために動作可能な放射性能試験モジュールをさらに具備する請求項１３に記載の無線デバイス。
【請求項２２】
無線デバイスの放射特性を決定する方法であって、
予め決められた放射性能試験と関連づけられた複数の所定位置の各々において基準信号特性を有する電波信号を無線で前記無線デバイスに送信することと、
同期化データを前記無線デバイスに無線で送信することであって、前記同期化データは、前記複数の所定位置の各々に関する各々の位置に対応するとともに前記送信された信号特性の各々に対応すること、とを具備し、前記基準信号特性及び前記同期化データは、前記無線デバイスの放射性能特性を決定するために用いられる、方法。
【請求項２３】
前記基準信号特性を記録することと、
前記同期化データを記録することと、
前記複数の所定位置の各々に関して前記無線デバイスによって測定された測定信号特性及び同期化データのレコードを受信することと、
前記複数の位置の各々に関して、前記同期化データに基づいて前記基準信号特性を前記測定された信号特性と同期化させることと、
前記同期化された基準信号特性及び前記測定された信号特性に基づいて、所定の解析プロトコルにしたがって、前記無線デバイスの前記放射性能特性を決定すること、とをさらに具備する請求項２２に記載の方法。
【請求項２４】
前記測定された信号特性及び前記同期化データに基づいて、前記複数の位置と関連する予め決められた位置に対応する前記放射性能特性を生成することをさらに具備する請求項２３に記載の方法。
【請求項２５】
前記放射性能特性を生成するために前記同期化された基準信号特性及び前記測定された信号特性に予め決められた解析プロトコルを適用することをさらに具備する請求項２３に記載の方法。
【請求項２６】
前記測定された信号特性は、各々が利得値と関連づけられ、予め決められた解析プロトコルを適用する前記動作は、前記複数の位置の各々に関する前記利得値の最大値及び対応する最大利得位置を決定することと、前記最大利得位置における最高放射感度を決定することと、前記最高放射感度に基づいて前記無線デバイスに関する総放射感度を決定すること、とをさらに具備する請求項２５に記載の方法。
【請求項２７】
前記測定された信号特性は、放射電力値を具備し、予め決められた解析プロトコルを適用する前記動作は、前記複数の位置の各々に関する最大放射電力値を決定することと、前記最大放射電力値に基づいて前記無線デバイスに関する総放射電力評価基準を決定すること、とをさらに具備する請求項２５に記載の方法。
【請求項２８】
前記測定された信号特性は、前記無線デバイスの前記アンテナシステムの第１のアンテナモジュール及び第２のアンテナモジュールに関する複素電圧値を具備し、予め決められた解析プロトコルを適用する前記動作は、包絡線相関係数ρeを前記複素電圧値に基づいて決定することをさらに具備する請求項２５に記載の方法。
【請求項２９】
前記複数の位置の一部分における第２の放射性能特性を決定する第２の放射性能試験を同時に実施することをさらに具備する請求項２２に記載の方法。
【請求項３０】
コンピュータによって読み取り可能な媒体内に常駐し、実行されたときに、予め決められた放射性能試験と関連づけられた複数の所定位置の各々において基準信号特性を有する電波信号を無線デバイスに無線で送信する動作、及び前記無線デバイスに同期化データを無線で送信する動作であって、前記同期化データは、前記複数の所定位置の各々に関する各々の位置に対応しさらに前記基準信号特性の各々に対応する動作、を行うようにコンピュータデバイスに指示するコンピュータプログラムであって、
前記基準信号特性及び前記同期化データは、前記無線デバイスの放射性能特性を決定するために用いられる、コンピュータプログラム。
【請求項３１】
少なくとも１つのプロセッサであって、
予め決められた放射性能試験と関連づけられた複数の所定位置の各々において基準信号特性を有する電波信号を無線で無線デバイスに送信する手段と、
前記無線デバイスに同期化データを無線で送信する手段であって、前記同期化データは、前記複数の所定位置の各々に関する各々の位置に対応しさらに前記送信された信号特性の各々に対応する手段と、を具備し、
前記基準信号特性及び前記同期化データは、前記無線デバイスの放射性能特性を決定するために用いられる、少なくとも１つのプロセッサ。
【請求項３２】
無線デバイスの放射性能を決定するための装置であって、
予め決められた放射性能試験と関連づけられた複数の所定位置の各々において基準信号特性を有する電波信号を前記無線デバイスに無線で送信するための手段と、
前記無線デバイスに同期化データを無線で送信するための手段であって、前記同期化データは、前記複数の所定位置の各々に関する各々の位置に対応しさらに前記送信された信号特性の各々に対応する手段と、を具備し、
前記基準信号特性及び前記同期化データは、前記無線デバイスの放射性能特性を決定するために用いられる、装置。
【請求項３３】
無線デバイスの放射性能を決定するためのコントローラであって、
予め決められた放射性能試験と関連づけられた複数の所定位置の各々において前記無線デバイスに電波信号を無線で送信するために動作可能な無線信号システムを具備し、前記電波信号は、基準信号特性及び同期化データを具備し、前記同期化データは、前記複数の所定位置の各々に関する各々の位置に対応しさらに前記基準信号特性の各々に対応し、前記基準信号特性及び前記同期化データは、前記無線デバイスの放射性能特性を決定するために用いられる、コントローラ。
【請求項３４】
前記複数の所定位置の各々に対応する前記基準信号特性及び前記同期化データを記録するために動作可能な放射試験管理モジュールと、
制御試験ログ及びデバイス試験ログを有する記憶機構であって、前記制御試験ログは、前記記録された基準信号特性及び前記記録された同期化データを具備し、前記デバイス試験ログは、前記複数の位置の各々に関して前記無線デバイスの受信機モジュールによって受信された測定された信号特性及び同期化データのレコードを具備する記憶機構と、
前記複数の所定位置の各々に関して、前記同期化データに基づいて前記基準信号特性を前記測定された信号特性と同期化させるために動作可能な性能アナライザと、をさらに具備し、
前記性能アナライザは、前記同期化された基準信号特性及び測定された信号特性に基づいて、前記無線デバイスの前記放射性能特性を所定の解析プロトコルにしたがって決定するためにさらに動作可能である請求項３３に記載のコントローラ。
【請求項３５】
前記性能アナライザは、前記複数の位置と関連づけられた予め決められた位置に対応する前記放射性能特性を前記測定された信号特性及び前記同期化データに基づいて生成するためにさらに動作可能である請求項３４に記載のコントローラ。
【請求項３６】
前記放射試験管理モジュールは、予め決められた解析プロトコルをさらに具備し、前記放射試験管理モジュールは、前記放射性能特性を生成するために前記基準信号特性と前記測定された信号特性の同期化された組合せに前記予め決められた解析プロトコルを適用するためにさらに動作可能である請求項３４に記載のコントローラ。
【請求項３７】
前記測定された信号特性は、利得値を具備し、前記予め決められた解析プロトコルは、前記無線デバイスに関する総放射感度を最高放射感度に基づいて決定するために動作可能であり、前記最高放射感度は、最大利得位置において決定され、前記最大利得位置は、前記利得値の最大値に対応する請求項３６に記載のコントローラ。
【請求項３８】
前記測定された信号特性は、放射電力値を具備し、前記予め決められた解析プロトコルは、前記無線デバイスに関する総放射電力評価基準を前記複数の位置の各々に関する最大放射電力値に基づいて決定するために動作可能である請求項３６に記載のコントローラ。
【請求項３９】
前記無線デバイスは、第１のアンテナモジュールと、第２のアンテナモジュールと、を具備し、前記測定された信号特性は、前記第１のアンテナモジュール及び前記第２のアンテナモジュールの各々に関する複素電圧値を具備し、前記予め決められた解析プロトコルは、前記第１のアンテナモジュールと前記第２のアンテナモジュールとの間の包絡線相関係数ρeを前記複素電圧値に基づいて決定するために動作可能である請求項３６に記載のコントローラ。
【請求項４０】
前記放射試験管理モジュールは、前記複数の位置の一部分における第２の放射性能特性を決定する第２の放射性能試験を同時に実施するためにさらに動作可能である請求項３２に記載のコントローラ。
【請求項４１】
無線デバイスの放射性能を決定するためのシステムであって、
予め決められた放射性能試験に基づいて制御信号を生成するために動作可能なコントローラシステムであって、前記制御信号は、ポジショニング成分と、対応するシグナリング成分と、を具備し、前記ポジショニング成分は、複数の予め決められた位置のうちの選択された１つを定義し、前記シグナリング成分は、基準信号特性及び予め決められた同期化データを有する電波信号を定義し、前記予め決められた同期化データは、前記複数の予め決められた位置のうちの選択された１つに対応するコントローラシステムと、
信号発生器を具備する無線信号システムであって、前記無線信号システムは、前記制御信号の少なくとも一部分を受信するように動作するとともに、前記シグナリング成分に基づいて前記電波信号を生成して無線で送信するようにさらに動作する無線信号システムと、
を具備するシステム。
【請求項４２】
前記動作制御システムの取り付け部分に接続可能な無線デバイスであって、
前記電波信号を無線で受信するために動作可能な受信機機構と、
前記受信機機構と通信するプロセッサシステムであって、測定された信号特性を前記受信された電波信号に基づいて生成するために動作可能であり、前記測定された信号特性は、前記複数の予め決められた位置のうちの選択された１つにおいて前記受信機機構によって受信された前記基準信号特性に対応し、前記プロセッサシステムは、前記受信された電波信号からの前記複数の予め決められた位置のうちの選択された１つに対応する前記予め決められた同期化データを構文解析するためにさらに動作可能なプロセッサシステムと、
前記プロセッサシステムと通信する放射性能試験モジュールであって、前記測定された信号特性及び前記対応する予め決められた同期化データを収集及び格納するために動作可能なデータ管理論理を有し、前記測定された信号特性及び前記対応する予め決められた同期化データは、両方とも、前記予め決められた放射性能試験に基づいて、所定の解析プロトコルにしたがって、前記無線デバイスの放射性能特性を少なくとも部分的に決定可能である放射性能試験モジュールと、
を具備する請求項４１に記載のシステム。
【請求項４３】
前記放射性能試験モジュールは、前記測定された信号特性及び前記対応する予め決められた同期化データに基づいて前記放射性能特性を生成するために動作可能な性能アナライザをさらに具備する請求項４２に記載のシステム。
【請求項４４】
前記予め決められた同期化データは、前記複数の位置の前記選択された１つを定義する位置情報を具備する請求項４１に記載のシステム。
【請求項４５】
前記予め決められた同期化データは、前記複数の予め決められた位置のうちの前記選択された１つに対応する時間情報を具備し、前記コントローラシステムは、試験ログ及び性能アナライザをさらに具備し、前記試験ログは、前記複数の予め決められた位置のうちの前記選択された１つに対応する前記時間情報のレコードを具備し、前記試験ログは、前記測定された信号特性に対応する前記時間情報のレコードを前記予め決められた放射性能試験の対象である無線デバイスから受信するためにさらに動作可能であり、前記性能アナライザは、前記複数の予め決められた位置のうちの前記選択された１つを前記測定された信号特性と同期化させるために及び放射性能特性を生成するために動作可能である請求項４１に記載のシステム。
【請求項４６】
移動可能な取り付け部分を有するポジショニングアセンブリを具備するポジショニングシステムをさらに具備し、前記ポジショニングシステムは、前記制御信号の少なくとも一部分を受信するとともに前記ポジショニング成分に基づいて前記取り付け部分を前記複数の予め決められた位置のうちの前記選択された１つに移動させるために動作可能である請求項４１に記載のシステム。
【請求項４７】
前記無線デバイスは、デバイス発の電波信号を受信するのと同時に前記電波信号を生成して無線で送信するために動作可能な送信機機構をさらに具備し、前記デバイス発の電波信号は、第２の予め決められた放射性能試験に基づき、前記無線信号システムは、前記デバイス発の電波信号を受信するために及びコントローラに基づく信号特性を決定するために動作可能な信号受信機をさらに具備し、前記コントローラシステムは、前記コントローラに基づく信号特性を受信するために及び前記無線デバイスの第２の放射性能特性を生成するために動作可能である請求項４２に記載のシステム。
【請求項４８】
前記無線デバイスは、前記測定された信号特性及び前記対応する予め決められた同期化データを具備するログを格納するために動作可能であるデータレポジトリをさらに具備する請求項４２に記載のシステム。
【請求項４９】
無線デバイスであって、
基準信号特性及び予め決められた同期化データを有する電波信号を無線で受信するために動作可能な受信機機構であって、前記基準信号特性は、予め決められた放射性能試験と関連づけられ、前記予め決められた同期化データは、前記予め決められた放射性能試験と関連づけられた前記無線デバイスの複数の所定位置のうちの選択された１つに対応する受信機機構と、
前記受信機機構と通信して測定された信号特性を前記受信された電波信号に基づいて決定するために動作可能な処理システムであって、前記測定された信号特性は、前記基準信号特性に対応し、前記受信された電波信号からの前記予め決められた同期化データを構文解析するためにさら動作可能である処理システムと、
前記測定された信号特性及び前記対応する予め決められた同期化データを具備する試験ログを格納するために動作可能なデータレポジトリと、
前記測定された信号特性及び前記対応する予め決められた同期化データを前記処理システムから収集するとともに前記データレポジトリに格納させるために動作可能な放射性能試験モジュールであって、前記基準信号特性及び対応する測定された信号特性及び前記予め決められた同期化データは、前記予め決められた放射性能試験に基づいて、前記無線デバイスの予め決められた放射性能特性を少なくとも部分的に決定可能である放射性能試験モジュールと、
を具備する無線デバイス。
【請求項５０】
無線デバイスの放射性能を決定する方法であって、
予め決められた放射性能試験と関連づけられた複数の予め決められた位置のうちの選択された１つにおいて無線デバイスを位置決めすることと、
前記無線デバイスに電波信号を無線で送信することであって、前記電波信号は、基準信号特性及び前記選択された位置に対応する予め決められた同期化データを有することと、
前記無線デバイスからレコードを受信することであって、前記レコードは、前記無線デバイスの受信機モジュールによって測定されて前記基準信号特性に対応し、さらに前記予め決められた同期化データと相互に関連する測定された信号特性を含むことと、
前記測定された信号特性を、前記予め決められた同期化データに基づいて前記選択された位置に対応する位置情報と同期化させることと、
前記同期化された測定された信号特性及び基準信号特性及び位置情報に基づいて、前記無線デバイスの放射性能特性を生成すること、とを具備する方法。
【国際調査報告】
2008518567.tif 000029
2008518567.tif 000030
2008518567.tif 000031